(57)【特許請求の範囲】
【請求項１】
ワイヤレス通信のための方法であって、
第1のワイヤレス通信デバイスから送信可信号を受信するステップであって、前記送信可信号は、前記第1のワイヤレス通信デバイスの受信機空間フィルタを示す、ステップと、
第2のワイヤレス通信デバイスによって、前記第1のワイヤレス通信デバイスの前記受信機空間フィルタに少なくとも部分的に基づいて送信プリコーダを判断するステップと、
前記送信プリコーダに少なくとも部分的に基づいて、送信要求信号をプリコーディングするステップと、
前記プリコーディングされた送信要求信号を、共有無線周波数スペクトル帯域上で送信するステップと、
前記送信可信号の次元に基づき、データ通信用の残存次元を判断するステップと、
前記残存次元を有するデータ信号を第3のワイヤレス通信デバイスに送信するステップと
を含む方法。
【請求項２】
前記送信プリコーダを判断するステップは、1つまたは複数の送信プリコーダ候補を識別するステップを含み、
前記方法は、検出閾値に少なくとも部分的に基づいて、前記1つまたは複数の送信プリコーダ候補のうちの1つを選択するステップをさらに含む、請求項1に記載の方法。
【請求項３】
前記1つまたは複数の送信プリコーダ候補のうちの1つを選択するステップは、前記1つまたは複数の送信プリコーダ候補の各々の転置を算出するステップを含み、
前記方法は、前記1つまたは複数のプリコーダ候補の各々の前記転置および前記送信可信号に少なくとも部分的に基づいて、前記1つまたは複数の送信プリコーダ候補の各々についての共分散値を判断するステップと、
前記共分散値に少なくとも部分的に基づいて、前記1つまたは複数の送信プリコーダ候補のうちの前記1つを選択するステップとをさらに含む、請求項2に記載の方法。
【請求項４】
前記第3のワイヤレス通信デバイスから第2の送信可信号を受信するステップであって、前記第2の送信可信号は、前記送信プリコーダに少なくとも部分的に基づいて導出されたフィルタに少なくとも部分的に基づいてプリコーディングされる、ステップをさらに含む、請求項1に記載の方法。
【請求項５】
前記第3のワイヤレス通信デバイスへデータ信号を送信するステップをさらに含む、請求項4に記載の方法。
【請求項６】
前記送信可信号の前記次元、および前記第2のワイヤレス通信デバイスと前記第3のワイヤレス通信デバイスとの間の通信用の利用可能次元に少なくとも部分的に基づいて、初期残存次元を判断するステップと、
前記プリコーディングされた送信要求信号を送信するステップであって、前記プリコーディングされた送信要求信号は、前記初期残存次元を有する、ステップと、
前記第3のワイヤレス通信デバイスから第2の送信可信号を受信するステップと、
前記初期残存次元および前記第2の送信可信号の次元に少なくとも部分的に基づいて、前記残存次元を判断するステップとをさらに含む、請求項1に記載の方法。
【請求項７】
前記送信可信号の前記次元、および前記第2のワイヤレス通信デバイスと前記第3のワイヤレス通信デバイスとの間の通信用の利用可能次元に少なくとも部分的に基づいて、初期残存次元を判断するステップと、
前記プリコーディングされた送信要求信号を送信するステップであって、前記プリコーディングされた送信要求信号は、前記初期残存次元を有する、ステップと、
前記第3のワイヤレス通信デバイスから第2の送信可信号を受信するステップと、
前記第2の送信可信号の次元に少なくとも部分的に基づいて、前記残存次元を判断するステップとをさらに含む、請求項1に記載の方法。
【請求項８】
前記送信プリコーダは白色化フィルタを備える、請求項1に記載の方法。
【請求項９】
前記白色化フィルタに少なくとも部分的に基づいて、前記送信プリコーダを判断するステップをさらに含む、請求項8に記載の方法。
【請求項１０】
前記第1のワイヤレス通信デバイスから受信されたデータ信号に少なくとも部分的に基づいて、前記白色化フィルタを構築するステップをさらに含む、請求項8に記載の方法。
【請求項１１】
前記送信可信号または前記送信可信号に関連付けられたネットワーク割振りベクトルのうちの1つに少なくとも部分的に基づいて、前記白色化フィルタを構築するステップをさらに含む、請求項8に記載の方法。
【請求項１２】
前記送信可信号と、前記送信可信号が応答する、先行する送信要求信号とに少なくとも部分的に基づいて、前記白色化フィルタを構築するステップをさらに含む、請求項8に記載の方法。
【請求項１３】
ワイヤレス通信のための方法であって、
ワイヤレス通信デバイスにおいて、送信機プリコーダを用いてプリコーディングされた送信要求を示す信号を受信するステップと、
前記送信機プリコーダを用いてプリコーディングされた送信要求を示す前記信号に少なくとも部分的に基づいて、受信機プリコーダを判断するステップと、
前記受信機プリコーダを用いてプリコーディングされた送信可を示す信号を送信するステップと、
前記ワイヤレス通信デバイスにおいて、送信可信号の次元に基づくデータ通信用の残存次元を有するデータ信号を第2のワイヤレス通信デバイスから受信するステップと
を含む方法。
【請求項１４】
前記送信機プリコーダを用いてプリコーディングされた送信要求を示す前記信号に少なくとも部分的に基づいて、受信フィルタを判断するステップと、
前記受信フィルタに少なくとも部分的に基づいて前記受信機プリコーダを判断するステップと
をさらに含む、請求項13に記載の方法。
【請求項１５】
前記受信機プリコーダが前記受信フィルタの転置を含む、請求項14に記載の方法。
【請求項１６】
ワイヤレス通信のための装置であって、
第1のワイヤレス通信デバイスから送信可信号を受信するための手段であって、前記送信可信号は、前記第1のワイヤレス通信デバイスの受信機空間フィルタを示す、手段と、
第2のワイヤレス通信デバイスによって、前記第1のワイヤレス通信デバイスの前記受信機空間フィルタに少なくとも部分的に基づいて送信プリコーダを判断するための手段と、
前記送信プリコーダに少なくとも部分的に基づいて、送信要求信号をプリコーディングするための手段と、
前記プリコーディングされた送信要求信号を、共有無線周波数スペクトル帯域上で送信するための手段と、
前記送信可信号の次元に基づきデータ通信用の残存次元を判断するための手段と、
前記残存次元を有するデータ信号を第3のワイヤレス通信デバイスに送信するための手段と
を備える装置。
【請求項１７】
前記送信プリコーダを判断することは、1つまたは複数の送信プリコーダ候補を識別することを含み、
前記装置は、検出閾値に少なくとも部分的に基づいて、前記1つまたは複数の送信プリコーダ候補のうちの1つを選択するための手段をさらに備える、請求項16に記載の装置。
【請求項１８】
前記1つまたは複数の送信プリコーダ候補のうちの1つを選択することは、前記1つまたは複数の送信プリコーダ候補の各々の転置を算出することを含み、
前記装置は、前記1つまたは複数のプリコーダ候補の各々の前記転置および前記送信可信号に少なくとも部分的に基づいて、前記1つまたは複数の送信プリコーダ候補の各々についての共分散値を判断するための手段と、
前記共分散値に少なくとも部分的に基づいて、前記1つまたは複数の送信プリコーダ候補のうちの前記1つを選択するための手段とをさらに備える、請求項17に記載の装置。
【請求項１９】
前記第3のワイヤレス通信デバイスから第2の送信可信号を受信するための手段であって、前記第2の送信可信号は、前記送信プリコーダに少なくとも部分的に基づいて導出されたフィルタに少なくとも部分的に基づいてプリコーディングされる、手段をさらに備える、請求項16に記載の装置。
【請求項２０】
前記第3のワイヤレス通信デバイスへデータ信号を送信するための手段をさらに備える、請求項17に記載の装置。
【請求項２１】
前記送信可信号の前記次元、および前記第2のワイヤレス通信デバイスと前記第3のワイヤレス通信デバイスとの間の通信用の利用可能次元に少なくとも部分的に基づいて、初期残存次元を判断するための手段と、
前記プリコーディングされた送信要求信号を送信するための手段であって、前記プリコーディングされた送信要求信号は、前記初期残存次元を有する、手段と、
前記第3のワイヤレス通信デバイスから第2の送信可信号を受信するための手段と、
前記初期残存次元および前記第2の送信可信号の次元に少なくとも部分的に基づいて、前記残存次元を判断するための手段とをさらに備える、請求項16に記載の装置。
【請求項２２】
前記送信可信号の前記次元、および前記第2のワイヤレス通信デバイスと前記第3のワイヤレス通信デバイスとの間の通信用の利用可能次元に少なくとも部分的に基づいて、初期残存次元を判断するための手段と、
前記プリコーディングされた送信要求信号を送信するための手段であって、前記プリコーディングされた送信要求信号は、前記初期残存次元を有する、手段と、
前記第3のワイヤレス通信デバイスから第2の送信可信号を受信するための手段と、
前記第2の送信可信号の次元に少なくとも部分的に基づいて、前記残存次元を判断するための手段とをさらに備える、請求項16に記載の装置。
【請求項２３】
前記送信プリコーダは白色化フィルタを備える、請求項16に記載の装置。
【請求項２４】
前記白色化フィルタに少なくとも部分的に基づいて、前記送信プリコーダを判断するための手段をさらに備える、請求項23に記載の装置。
【請求項２５】
前記第1のワイヤレス通信デバイスから受信されたデータ信号に少なくとも部分的に基づいて、前記白色化フィルタを構築するための手段をさらに備える、請求項23に記載の装置。
【請求項２６】
前記送信可信号または前記送信可信号に関連付けられたネットワーク割振りベクトルのうちの1つに少なくとも部分的に基づいて、前記白色化フィルタを構築するための手段をさらに備える、請求項23に記載の装置。
【請求項２７】
前記送信可信号および前記送信可信号が応答する、先行する送信要求信号に少なくとも部分的に基づいて、前記白色化フィルタを構築するための手段をさらに備える、請求項23に記載の装置。
【請求項２８】
ワイヤレス通信のための装置であって、
ワイヤレス通信デバイスにおいて、送信機プリコーダを用いてプリコーディングされた送信要求を示す信号を受信するための手段と、
前記送信機プリコーダを用いてプリコーディングされた送信要求を示す前記信号に少なくとも部分的に基づいて、受信機プリコーダを判断するための手段と、
前記受信機プリコーダを用いてプリコーディングされた送信可を示す信号を送信するための手段と、
前記ワイヤレス通信デバイスにおいて、送信可信号の次元に基づくデータ通信用の残存次元を有するデータ信号を第2のワイヤレス通信デバイスから受信するための手段と
を備える装置。
【請求項２９】
前記送信機プリコーダを用いてプリコーディングされた送信要求を示す前記信号に少なくとも部分的に基づいて、受信フィルタを判断するための手段と、
前記受信フィルタに少なくとも部分的に基づいて前記受信機プリコーダを判断するための手段と
をさらに備える、請求項28に記載の装置。
【請求項３０】
前記受信機プリコーダが前記受信フィルタの転置を含む、請求項29に記載の装置。
【請求項３１】
ワイヤレス通信のための装置であって、
プロセッサと、
前記プロセッサと電子通信しているメモリと、
前記メモリに記憶された命令とを備え、前記命令は、前記プロセッサによって実行されると、前記装置に、
第1のワイヤレス通信デバイスから送信可信号を受信することであって、前記送信可信号は、前記第1のワイヤレス通信デバイスの受信機空間フィルタを示す、ことと、
第2のワイヤレス通信デバイスによって、前記第1のワイヤレス通信デバイスの前記受信機空間フィルタに少なくとも部分的に基づいて送信プリコーダを判断することと、
前記送信プリコーダに少なくとも部分的に基づいて、送信要求信号をプリコーディングすることと、
前記プリコーディングされた送信要求信号を、共有無線周波数スペクトル帯域上で送信することと、
前記送信可信号の次元に基づき、データ通信用の残存次元を判断することと、
前記残存次元を有するデータ信号を第3のワイヤレス通信デバイスに送信することと
を行わせる、装置。
【請求項３２】
前記送信プリコーダを判断することは、1つまたは複数の送信プリコーダ候補を識別することを含み、
前記命令は、検出閾値に少なくとも部分的に基づいて、前記1つまたは複数の送信プリコーダ候補のうちの1つを選択するようにさらに実行可能である、請求項31に記載の装置。
【請求項３３】
前記1つまたは複数の送信プリコーダ候補のうちの1つを選択することは、前記1つまたは複数の送信プリコーダ候補の各々の転置を算出することを含み、
前記命令は、
前記1つまたは複数のプリコーダ候補の各々の前記転置および前記送信可信号に少なくとも部分的に基づいて、前記1つまたは複数の送信プリコーダ候補の各々についての共分散値を判断し、
前記共分散値に少なくとも部分的に基づいて、前記1つまたは複数の送信プリコーダ候補のうちの前記1つを選択するようにさらに実行可能である、請求項32に記載の装置。
【請求項３４】
前記命令は、
第3のワイヤレス通信デバイスから第2の送信可信号を受信することであって、前記第2の送信可信号は、前記送信プリコーダに少なくとも部分的に基づいて導出されたフィルタに少なくとも部分的に基づいてプリコーディングされる、ことを行うように、前記プロセッサによってさらに実行可能である、請求項31に記載の装置。
【請求項３５】
前記命令は、データ信号を前記第3のワイヤレス通信デバイスに送信するように前記プロセッサによってさらに実行可能である、請求項34に記載の装置。
【請求項３６】
前記命令は、
前記送信可信号の前記次元、および前記第2のワイヤレス通信デバイスと第3のワイヤレス通信デバイスとの間の通信用の利用可能次元に少なくとも部分的に基づいて、初期残存次元を判断することと、
前記プリコーディングされた送信要求信号を送信することであって、前記プリコーディングされた送信要求信号は、前記初期残存次元を有する、ことと、
前記第3のワイヤレス通信デバイスから第2の送信可信号を受信することと、
前記初期残存次元および前記第2の送信可信号の次元に少なくとも部分的に基づいて、前記残存次元を判断する、こととを行うように、前記プロセッサによってさらに実行可能である、請求項31に記載の装置。
【請求項３７】
前記命令は、
前記送信可信号の前記次元、および前記第2のワイヤレス通信デバイスと前記第3のワイヤレス通信デバイスとの間の通信用の利用可能次元に少なくとも部分的に基づいて、初期残存次元を判断することと、
前記プリコーディングされた送信要求信号を送信することであって、前記プリコーディングされた送信要求信号は、前記初期残存次元を有する、ことと、
前記第3のワイヤレス通信デバイスから第2の送信可信号を受信することと、
前記第2の送信可信号の次元に少なくとも部分的に基づいて、前記残存次元を判断することとを行うように、前記プロセッサによってさらに実行可能である、請求項31に記載の装置。
【請求項３８】
前記送信プリコーダは白色化フィルタを備える、請求項31に記載の装置。
【請求項３９】
前記命令は、
前記白色化フィルタに少なくとも部分的に基づいて、前記送信プリコーダを判断するように、前記プロセッサによってさらに実行可能である、請求項38に記載の装置。
【請求項４０】
前記命令は、
前記第1のワイヤレス通信デバイスから受信されたデータ信号に少なくとも部分的に基づいて、前記白色化フィルタを構築するように、前記プロセッサによってさらに実行可能である、請求項38に記載の装置。
【請求項４１】
前記命令は、
前記送信可信号または前記送信可信号に関連付けられたネットワーク割振りベクトルのうちの1つに少なくとも部分的に基づいて、前記白色化フィルタを構築するように、前記プロセッサによってさらに実行可能である、請求項38に記載の装置。
【請求項４２】
前記命令は、
前記送信可信号および前記送信可信号が応答する、先行する送信要求信号に少なくとも部分的に基づいて、前記白色化フィルタを構築するように、前記プロセッサによってさらに実行可能である、請求項38に記載の装置。
【請求項４３】
ワイヤレス通信のための装置であって、
プロセッサと、
前記プロセッサと電子的に通信しているメモリと、
前記メモリの中に記憶された命令とを備え、前記命令は、前記プロセッサによって実行されると、前記装置に、
ワイヤレス通信デバイスにおいて、送信機プリコーダを用いてプリコーディングされた送信要求を示す信号を受信させ、
前記送信機プリコーダを用いてプリコーディングされた送信要求を示す前記信号に少なくとも部分的に基づいて、受信機プリコーダを判断させ、
前記受信機プリコーダを用いてプリコーディングされた送信可を示す信号を送信させ、
前記ワイヤレス通信デバイスにおいて、送信可信号の次元に基づくデータ通信用の残存次元を有するデータ信号を第2のワイヤレス通信デバイスから受信させる、装置。
【請求項４４】
前記命令が、
前記送信機プリコーダを用いてプリコーディングされた送信要求を示す前記信号に少なくとも部分的に基づいて、受信フィルタを判断すること、および
前記受信フィルタに少なくとも部分的に基づいて前記受信機プリコーダを判断すること
を行うように前記プロセッサによってさらに実行可能である、請求項43に記載の装置。
【請求項４５】
前記受信機プリコーダが、前記受信フィルタの転置を含む、請求項44に記載の装置。
【請求項４６】
ワイヤレス通信のためのコードを記憶するコンピュータ可読記録媒体であって、前記コードは、
第1のワイヤレス通信デバイスから送信可信号を受信することであって、前記送信可信号は、前記第1のワイヤレス通信デバイスの受信機空間フィルタを示す、ことと、
第2のワイヤレス通信デバイスによって、前記第1のワイヤレス通信デバイスの前記受信機空間フィルタに少なくとも部分的に基づいて送信プリコーダを判断することと、
前記送信プリコーダに少なくとも部分的に基づいて、送信要求信号をプリコーディングすることと、
前記プリコーディングされた送信要求信号を、共有無線周波数スペクトル帯域上で送信することと、
前記送信可信号の次元に基づきデータ通信用の残存次元を判断することと、
前記残存次元を有するデータ信号を第3のワイヤレス通信デバイスに送信することと
を行うように、プロセッサによって実行可能な命令を含む、コンピュータ可読記録媒体。
【請求項４７】
ワイヤレス通信のためのコードを記憶するコンピュータ可読記録媒体であって、前記コードは、
ワイヤレス通信デバイスにおいて、送信機プリコーダを用いてプリコーディングされた送信要求を示す信号を受信し、
前記送信機プリコーダを用いてプリコーディングされた送信要求を示す前記信号に少なくとも部分的に基づいて、受信機プリコーダを判断し、
前記受信機プリコーダを用いてプリコーディングされた送信可を示す信号を送信し、
前記ワイヤレス通信デバイスにおいて、送信可信号の次元に基づくデータ通信用の残存次元を有するデータ信号を第2のワイヤレス通信デバイスから受信するように、プロセッサによって実行可能な命令を含む、コンピュータ可読記録媒体。
【発明の詳細な説明】
【技術分野】
【０００１】
相互参照
本特許出願は、2018年5月2日に出願された、Fanらによる、「Spatial Listen Before Talk by Precoded Request to Send and Clear to Send Via Whitening」と題する米国特許出願第15/969,625号、および2017年7月12日に出願された、Fanらによる、「Spatial Listen Before Talk by Precoded Request to Send and Clear to Send Via Whitening」と題する米国仮特許出願第62/531,780号の優先権を主張し、それらの各々は本出願の譲受人に譲渡される。
【０００２】
以下は概して、ワイヤレス通信に関し、より詳細には、白色化(whitening)を介した、プリコーディングされた送信要求および送信可による空間的リッスンビフォアトークに関する。
【背景技術】
【０００３】
ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース(たとえば、時間、周波数、および電力)を共有することによって複数のユーザとの通信をサポートすることが可能であり得る。そのような多元接続システムの例には、符号分割多元接続(CDMA)システム、時分割多元接続(TDMA)システム、周波数分割多元接続(FDMA)システム、および直交周波数分割多元接続(OFDMA)システム(たとえば、ロングタームエボリューション(LTE)システム、または新無線(NR)システム)がある。ワイヤレス多元接続通信システムは、場合によってはユーザ機器(UE)として知られていることがある、複数の通信デバイスのための通信を各々が同時にサポートする、いくつかの基地局またはアクセスネットワークノードを含むことがある。
【０００４】
いくつかのワイヤレス通信システムでは、ワイヤレスデバイスが別のデバイスからの干渉なしで送信することができるように、ワイヤレスデバイスがワイヤレスチャネルを予約できるようにするために、媒体予約プロトコルが使われ得る。1つのそのような媒体予約プロトコルは、送信要求(RTS)信号および送信可(CTS)信号の交換を含み得る。送信する準備ができたデータを有するワイヤレスデバイスは最初に、予定受信側へRTS信号を送信し得る。RTS信号は、ワイヤレスデバイスが媒体を予約したい時間の長さを示す持続時間フィールドを含み得る。RTS信号が聞こえるすべてのデバイスは次いで、それらのネットワーク割振りベクトル(NAV)を設定することによって、その時間の長さだけ、送信するのを控えればよい。予定受信側は、持続時間フィールドを含むCTS信号で応答し得る。CTS信号は聞こえるがRTS信号は聞こえなかったどのデバイスもまた、それらのNAVを設定し、そうすることによって、予定受信側における受信と干渉するのを控えることができる。送信デバイスは、CTS信号を受信すると、予定受信側へデータを送信してよい。
【発明の概要】
【課題を解決するための手段】
【０００５】
記載する技法は、白色化を介した、プリコーディングされた送信要求(request to send)および送信可(clear to send)による空間的リッスンビフォアトーク(spatial listen before talk)をサポートする、改良された方法、システム、デバイス、または装置に関する。
【０００６】
ワイヤレス通信の方法が記載される。この方法は、第1のワイヤレス通信デバイスから送信可信号(clear to send signal)を受信するステップであって、送信可信号は、第1のワイヤレス通信デバイスの受信機空間フィルタを示す、ステップと、第2のワイヤレス通信デバイスによって、第1のワイヤレス通信デバイスの受信機空間フィルタに少なくとも部分的に基づいて送信プリコーダを判断するステップと、送信プリコーダに少なくとも部分的に基づいて、送信要求信号(request to send signal)をプリコーディングするステップと、プリコーディングされた送信要求信号を、共有無線周波数スペクトル帯域上で送信するステップとを含み得る。
【０００７】
ワイヤレス通信のための装置が記載される。この装置は、第1のワイヤレス通信デバイスから送信可信号を受信するための手段であって、送信可信号は、第1のワイヤレス通信デバイスの受信機空間フィルタを示す、手段と、第2のワイヤレス通信デバイスによって、第1のワイヤレス通信デバイスの受信機空間フィルタに少なくとも部分的に基づいて送信プリコーダを判断するための手段と、送信プリコーダに少なくとも部分的に基づいて、送信要求信号をプリコーディングするための手段と、プリコーディングされた送信要求信号を、共有無線周波数スペクトル帯域上で送信するための手段とを含み得る。
【０００８】
ワイヤレス通信のための別の装置が記載される。装置は、プロセッサ、プロセッサと電子的に通信しているメモリ、およびメモリに記憶された命令を含み得る。命令は、プロセッサに、第1のワイヤレス通信デバイスから送信可信号を受信することであって、送信可信号は、第1のワイヤレス通信デバイスの受信機空間フィルタを示す、ことと、第2のワイヤレス通信デバイスによって、第1のワイヤレス通信デバイスの受信機空間フィルタに少なくとも部分的に基づいて送信プリコーダを判断することと、送信プリコーダに少なくとも部分的に基づいて、送信要求信号をプリコーディングすることと、プリコーディングされた送信要求信号を、共有無線周波数スペクトル帯域上で送信することとを行わせるように動作可能であり得る。
【０００９】
ワイヤレス通信用の非一時的コンピュータ可読媒体が記載される。非一時的コンピュータ可読媒体は、プロセッサに、第1のワイヤレス通信デバイスから送信可信号を受信することであって、送信可信号は、第1のワイヤレス通信デバイスの受信機空間フィルタを示す、ことと、第2のワイヤレス通信デバイスによって、第1のワイヤレス通信デバイスの受信機空間フィルタに少なくとも部分的に基づいて送信プリコーダを判断することと、送信プリコーダに少なくとも部分的に基づいて、送信要求信号をプリコーディングすることと、プリコーディングされた送信要求信号を、共有無線周波数スペクトル帯域上で送信することとを行わせるように動作可能な命令を含み得る。
【００１０】
上述した方法、装置、および非一時的コンピュータ可読媒体のいくつかの例では、送信プリコーダを判断することは、1つまたは複数の送信プリコーダ候補を識別することを含む。上述した方法、装置、および非一時的コンピュータ可読媒体のいくつかの例では、方法は、検出閾値に少なくとも部分的に基づいて、1つまたは複数の送信プリコーダ候補のうちの1つを選択するステップをさらに含む。
【００１１】
上述した方法、装置、および非一時的コンピュータ可読媒体のいくつかの例では、1つまたは複数の送信プリコーダ候補のうちの1つを選択することは、1つまたは複数の送信プリコーダ候補の各々の転置(transpose)を算出することを含む。上述した方法、装置、および非一時的コンピュータ可読媒体のいくつかの例では、方法は、1つまたは複数のプリコーダ候補の各々の転置および送信可信号に少なくとも部分的に基づいて、1つまたは複数の送信プリコーダ候補の各々についての共分散値(covariance value)を判断することをさらに含む。上述した方法、装置、および非一時的コンピュータ可読媒体のいくつかの例は、共分散値に少なくとも部分的に基づいて、1つまたは複数の送信プリコーダ候補のうちの1つを選択するためのプロセス、特徴、手段、または命令をさらに含み得る。
【００１２】
上述した方法、装置、および非一時的コンピュータ可読媒体のいくつかの例は、第3のワイヤレス通信デバイスから第2の送信可信号を受信するためのプロセス、特徴、手段、または命令をさらに含むことができ、第2の送信可信号は、送信プリコーダに少なくとも部分的に基づいて導出されたフィルタに少なくとも部分的に基づいてプリコーディングされる。
【００１３】
上述した方法、装置、および非一時的コンピュータ可読媒体のいくつかの例は、第3のワイヤレス通信デバイスへデータ信号を送信するためのプロセス、特徴、手段、または命令をさらに含み得る。
【００１４】
上述した方法、装置、および非一時的コンピュータ可読媒体のいくつかの例は、送信可信号の次元(dimension)を判断するためのプロセス、特徴、手段、または命令をさらに含み得る。上述した方法、装置、および非一時的コンピュータ可読媒体のいくつかの例は、送信可信号の次元に基づいて、データ通信用の残存次元(remaining dimension)を識別するためのプロセス、特徴、手段、または命令をさらに含み得る。上述した方法、装置、および非一時的コンピュータ可読媒体のいくつかの例は、第3のワイヤレス通信デバイスへデータ信号を送信するためのプロセス、特徴、手段、または命令をさらに含むことができ、データ信号は残存次元を有する。
【００１５】
上述した方法、装置、および非一時的コンピュータ可読媒体のいくつかの例は、送信可信号の次元、および第2のワイヤレス通信デバイスと第3のワイヤレス通信デバイスとの間の通信用の利用可能次元に少なくとも部分的に基づいて、初期残存次元(initial remaining dimension)を判断するためのプロセス、特徴、手段、または命令をさらに含み得る。上述した方法、装置、および非一時的コンピュータ可読媒体のいくつかの例は、プリコーディングされた送信要求信号を送信するためのプロセス、特徴、手段、または命令をさらに含むことができ、プリコーディングされた送信要求信号は、初期残存次元を有する。上述した方法、装置、および非一時的コンピュータ可読媒体のいくつかの例は、第3のワイヤレス通信デバイスから第2の送信可信号を受信するためのプロセス、特徴、手段、または命令をさらに含み得る。上述した方法、装置、および非一時的コンピュータ可読媒体のいくつかの例は、初期残存次元および第2の送信可信号の次元に少なくとも部分的に基づいて、残存次元を判断するためのプロセス、特徴、手段、または命令をさらに含み得る。
【００１６】
上述した方法、装置、および非一時的コンピュータ可読媒体のいくつかの例は、送信可信号の次元、および第2のワイヤレス通信デバイスと第3のワイヤレス通信デバイスとの間の通信用の利用可能次元に少なくとも部分的に基づいて、初期残存次元を判断するためのプロセス、特徴、手段、または命令をさらに含み得る。上述した方法、装置、および非一時的コンピュータ可読媒体のいくつかの例は、プリコーディングされた送信要求信号を送信するためのプロセス、特徴、手段、または命令をさらに含むことができ、プリコーディングされた送信要求信号は、初期残存次元を有する。上述した方法、装置、および非一時的コンピュータ可読媒体のいくつかの例は、第3のワイヤレス通信デバイスから第2の送信可信号を受信するためのプロセス、特徴、手段、または命令をさらに含み得る。上述した方法、装置、および非一時的コンピュータ可読媒体のいくつかの例は、第2の送信可信号の次元に少なくとも部分的に基づいて、残存次元を判断するためのプロセス、特徴、手段、または命令をさらに含み得る。
【００１７】
上述した方法、装置、および非一時的コンピュータ可読媒体のいくつかの例では、送信プリコーダは白色化フィルタを備える。
【００１８】
上述した方法、装置、および非一時的コンピュータ可読媒体のいくつかの例は、白色化フィルタに少なくとも部分的に基づいて、送信プリコーダを判断するためのプロセス、特徴、手段、または命令をさらに含み得る。
【００１９】
上述した方法、装置、および非一時的コンピュータ可読媒体のいくつかの例は、第1のワイヤレスデバイスから受信されたデータ信号に少なくとも部分的に基づいて、白色化フィルタを構築するためのプロセス、特徴、手段、または命令をさらに含み得る。
【００２０】
上述した方法、装置、および非一時的コンピュータ可読媒体のいくつかの例は、送信可信号、または送信可信号に関連付けられたネットワーク割振りベクトルのうちの1つに少なくとも部分的に基づいて、白色化フィルタを構築するためのプロセス、特徴、手段、または命令をさらに含み得る。
【００２１】
上述した方法、装置、および非一時的コンピュータ可読媒体のいくつかの例は、送信可信号、および送信可信号が応答し得る、先行する送信要求信号に少なくとも部分的に基づいて、白色化フィルタを構築するためのプロセス、特徴、手段、または命令をさらに含み得る。
【００２２】
ワイヤレス通信の方法が記載される。この方法は、ワイヤレス通信デバイスにおいて、送信機プリコーダを用いてプリコーディングされた送信要求を示す信号を受信するステップと、送信機プリコーダを用いてプリコーディングされた送信要求を示す信号に少なくとも部分的に基づいて、受信機プリコーダを判断するステップと、受信機プリコーダを用いてプリコーディングされた送信可を示す信号を送信するステップとを含み得る。
【００２３】
ワイヤレス通信のための装置が記載される。この装置は、ワイヤレス通信デバイスにおいて、送信機プリコーダを用いてプリコーディングされた送信要求を示す信号を受信するための手段と、送信機プリコーダを用いてプリコーディングされた送信要求を示す信号に少なくとも部分的に基づいて、受信機プリコーダを判断するための手段と、受信機プリコーダを用いてプリコーディングされた送信可を示す信号を送信するための手段とを含み得る。
【００２４】
ワイヤレス通信のための別の装置が記載される。装置は、プロセッサ、プロセッサと電子的に通信しているメモリ、およびメモリに記憶された命令を含み得る。命令は、プロセッサに、ワイヤレス通信デバイスにおいて、送信機プリコーダを用いてプリコーディングされた送信要求を示す信号を受信させ、送信機プリコーダを用いてプリコーディングされた送信要求を示す信号に少なくとも部分的に基づいて、受信機プリコーダを判断させ、受信機プリコーダを用いてプリコーディングされた送信可を示す信号を送信させるように動作可能であり得る。
【００２５】
ワイヤレス通信用の非一時的コンピュータ可読媒体が記載される。非一時的コンピュータ可読媒体は、プロセッサに、ワイヤレス通信デバイスにおいて、送信機プリコーダを用いてプリコーディングされた送信要求を示す信号を受信させ、送信機プリコーダを用いてプリコーディングされた送信要求を示す信号に少なくとも部分的に基づいて、受信機プリコーダを判断させ、受信機プリコーダを用いてプリコーディングされた送信可を示す信号を送信させるように動作可能な命令を含み得る。
【００２６】
上述した方法、装置、および非一時的コンピュータ可読媒体のいくつかの例は、送信機プリコーダを用いてプリコーディングされた送信要求を示す信号に少なくとも部分的に基づいて、受信フィルタを判断するためのプロセス、特徴、手段、または命令をさらに含み得る。上述した方法、装置、および非一時的コンピュータ可読媒体のいくつかの例は、受信フィルタに少なくとも部分的に基づいて、受信機プリコーダを判断するためのプロセス、特徴、手段、または命令をさらに含み得る。
【００２７】
上述した方法、装置、および非一時的コンピュータ可読媒体のいくつかの例では、受信機プリコーダは、受信フィルタの転置を備える。
【００２８】
ワイヤレス通信の方法が記載される。この方法は、ワイヤレス通信デバイスの受信機空間フィルタに対して転置演算を実施して、受信機空間フィルタの転置を取得するステップと、ワイヤレス通信デバイスによって、ワイヤレス通信デバイスの受信機空間フィルタの転置に少なくとも部分的に基づいて送信可信号をプリコーディングするステップと、共有無線周波数スペクトル帯域を介して、プリコーディングされた送信可信号を送信するステップとを含み得る。
【００２９】
ワイヤレス通信のための装置が記載される。この装置は、ワイヤレス通信デバイスの受信機空間フィルタに対して転置演算を実施して、受信機空間フィルタの転置を取得するための手段と、ワイヤレス通信デバイスによって、ワイヤレス通信デバイスの受信機空間フィルタの転置に少なくとも部分的に基づいて送信可信号をプリコーディングするための手段と、共有無線周波数スペクトル帯域を介して、プリコーディングされた送信可信号を送信するための手段とを含み得る。
【００３０】
ワイヤレス通信のための別の装置が記載される。装置は、プロセッサ、プロセッサと電子的に通信しているメモリ、およびメモリに記憶された命令を含み得る。命令は、プロセッサに、ワイヤレス通信デバイスの受信機空間フィルタに対して転置演算を実施して、受信機空間フィルタの転置を取得させ、ワイヤレス通信デバイスの受信機空間フィルタの転置に少なくとも部分的に基づいて、ワイヤレス通信デバイスによって、送信可信号をプリコーディングさせ、共有無線周波数スペクトル帯域を介して、プリコーディングされた送信可信号を送信させるように動作可能であり得る。
【００３１】
ワイヤレス通信用の非一時的コンピュータ可読媒体が記載される。非一時的コンピュータ可読媒体は、プロセッサに、ワイヤレス通信デバイスの受信機空間フィルタに対して転置演算を実施して、受信機空間フィルタの転置を取得させ、ワイヤレス通信デバイスの受信機空間フィルタの転置に少なくとも部分的に基づいて、ワイヤレス通信デバイスによって、送信可信号をプリコーディングさせ、共有無線周波数スペクトル帯域を介して、プリコーディングされた送信可信号を送信させるように動作可能な命令を含み得る。
【００３２】
上述した方法、装置、および非一時的コンピュータ可読媒体のいくつかの例は、送信要求信号を受信するためのプロセス、特徴、手段、または命令をさらに含み得る。上述した方法、装置、および非一時的コンピュータ可読媒体のいくつかの例は、送信可を示す信号に応答して、送信可を示すプリコーディングされた信号を送信するためのプロセス、特徴、手段、または命令をさらに含み得る。
【図面の簡単な説明】
【００３３】
【図１】本開示の態様による、白色化を介した、プリコーディングされた送信要求および送信可による空間的リッスンビフォアトークをサポートするワイヤレス通信用のシステムの例を示す図である。
【図２】本開示の態様による、白色化を介した、プリコーディングされた送信要求および送信可による空間的リッスンビフォアトークをサポートするワイヤレス通信ネットワークの例を示す図である。
【図３】本開示の態様による、白色化を介した、プリコーディングされた送信要求および送信可による空間的リッスンビフォアトークをサポートするワイヤレス通信ネットワークの例を示す図である。
【図４】本開示の態様による、白色化を介した、プリコーディングされた送信要求および送信可による空間的リッスンビフォアトークをサポートするワイヤレス通信ネットワークの例を示す図である。
【図５】本開示の態様による、白色化を介した、プリコーディングされた送信要求および送信可による空間的リッスンビフォアトークをサポートするワイヤレス通信ネットワークの例を示す図である。
【図６】本開示の態様による、白色化を介した、プリコーディングされた送信要求および送信可による空間的リッスンビフォアトークをサポートするワイヤレス通信ネットワークの例を示す図である。
【図７】本開示の態様による、白色化を介した、プリコーディングされた送信要求および送信可による空間的リッスンビフォアトークをサポートするワイヤレス通信ネットワークの例を示す図である。
【図８】本開示の態様による、白色化を介した、プリコーディングされた送信要求および送信可による空間的リッスンビフォアトークをサポートするワイヤレス通信ネットワークにおける通信のための流れ図の例を示す図である。
【図９】本開示の態様による、白色化を介した、プリコーディングされた送信要求および送信可による空間的リッスンビフォアトークをサポートするワイヤレス通信ネットワークにおける通信のための流れ図の例を示す図である。
【図１０】本開示の態様による、白色化を介した、プリコーディングされた送信要求および送信可による空間的リッスンビフォアトークをサポートするワイヤレス通信ネットワークにおける信号伝送の例を示す図である。
【図１１】本開示の態様による、白色化を介した、プリコーディングされた送信要求および送信可による空間的リッスンビフォアトークをサポートするワイヤレス通信ネットワークにおける信号伝送の例を示す図である。
【図１２】本開示の態様による、白色化を介した、プリコーディングされた送信要求および送信可による空間的リッスンビフォアトークをサポートするワイヤレス通信ネットワークにおける信号伝送の例を示す図である。
【図１３】本開示の態様による、白色化を介した、プリコーディングされた送信要求および送信可による空間的リッスンビフォアトークをサポートするデバイスのブロック図である。
【図１４】本開示の態様による、白色化を介した、プリコーディングされた送信要求および送信可による空間的リッスンビフォアトークをサポートするデバイスのブロック図である。
【図１５】本開示の態様による、白色化を介した、プリコーディングされた送信要求および送信可による空間的リッスンビフォアトークをサポートするデバイスのブロック図である。
【図１６】本開示の態様による、白色化を介した、プリコーディングされた送信要求および送信可による空間的リッスンビフォアトークをサポートするワイヤレスデバイスを含むシステムのブロック図である。
【図１７】本開示の態様による、白色化を介した、プリコーディングされた送信要求および送信可による空間的リッスンビフォアトークのための方法を示す図である。
【図１８】本開示の態様による、白色化を介した、プリコーディングされた送信要求および送信可による空間的リッスンビフォアトークのための方法を示す図である。
【図１９】本開示の態様による、白色化を介した、プリコーディングされた送信要求および送信可による空間的リッスンビフォアトークのための方法を示す図である。
【発明を実施するための形態】
【００３４】
いくつかの例では、ユーザ機器(UE)などのワイヤレスデバイスが、別のデバイスによって受信される進行中の送信と干渉せずに、送信をしたい場合がある。たとえば、第1のワイヤレスデバイスが、第1の送信要求信号を受信し、それに応答して、送信可を送信し得る。第1のワイヤレスデバイスの範囲内にある第2のワイヤレスデバイスが、送信可を受信し、第1のワイヤレスデバイスが送信を受信中であると認識し得る。ただし、第2のワイヤレスデバイスは、第1のワイヤレスデバイスにおける干渉を最小限にすることができる場合、送信することが可能であり得る。第2のデバイスは、チャネルGを介して第1のデバイスと通信してもよく、第1のワイヤレスデバイスは、すべての着信通信に受信フィルタPを適用してよい。そのようなケースでは、第2のデバイスは、PGW=0であるように、すべての発信送信に送信プリコーダWを適用することによって、第1のワイヤレスデバイスにおける進行中の送信と大きく干渉することなく、送信することができる。
【００３５】
ただし、第2のワイヤレスデバイスは、クロスリンクチャネルGまたは受信フィルタPの知識がない場合がある。第2のワイヤレスデバイスが適切な送信プリコーダWを算出することができるようにするために、第1のワイヤレスデバイスは、受信フィルタPに少なくとも部分的に基づいて、送信可信号(clear to send signal)をプリコーディングし得る。たとえば、ワイヤレスデバイスは、転置受信フィルタPTに少なくとも部分的に基づいて、送信可信号をプリコーディングしてよい。第2のワイヤレスデバイスは、送信可信号に少なくとも部分的に基づいて、送信プリコーダを判断することができる。第2のワイヤレスデバイスは、送信プリコーダを使って、第1のワイヤレスデバイスにおける進行中の通信と大きく干渉することなく、第3のワイヤレスデバイスと通信することができる。
【００３６】
本開示の態様は、最初にワイヤレス通信システムとの関連で記載される。本開示の態様はさらに、白色化を介した、プリコーディングされた送信要求および送信可による空間的リッスンビフォアトークに関する装置図、システム図、およびフローチャートによって示され、それらを参照して記載される。
【００３７】
図1は、本開示の様々な態様によるワイヤレス通信システム100の例を示す。ワイヤレス通信システム100は、基地局105、UE115、およびコアネットワーク130を含む。いくつかの例では、ワイヤレス通信システム100は、ロングタームエボリューション(LTE)、LTEアドバンスト(LTE-A)ネットワーク、または新無線(NR)ネットワークであり得る。いくつかのケースでは、ワイヤレス通信システム100は、拡張ブロードバンド通信、超高信頼(すなわち、ミッションクリティカル)通信、低レイテンシ通信、および低コストで低複雑度のデバイスとの通信をサポートし得る。
【００３８】
基地局105は、1つまたは複数の基地局アンテナを介してUE115とワイヤレス通信することができる。各基地局105は、それぞれの地理的カバレージエリア110に通信カバレージを提供することができる。ワイヤレス通信システム100の中に示された通信リンク125は、UE115から基地局105へのアップリンク送信、または基地局105からUE115へのダウンリンク送信を含み得る。制御情報およびデータは、様々な技法に従ってアップリンクチャネルまたはダウンリンクチャネル上で多重化され得る。制御情報およびデータは、たとえば、時分割多重(TDM)技法、周波数分割多重(FDM)技法、またはハイブリッドTDM-FDM技法を使用して、ダウンリンクチャネル上で多重化され得る。いくつかの例では、ダウンリンクチャネルの送信時間間隔(TTI)の間に送信される制御情報は、カスケード方式で異なる制御領域の間で(たとえば、共通制御領域と1つまたは複数のUE固有制御領域との間で)分散され得る。
【００３９】
UE115は、ワイヤレス通信システム100全体にわたって分散されてよく、各UE115は、固定またはモバイルであってよい。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。UE115はまた、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ(WLL)局、モノのインターネット(IoT)デバイス、あらゆるモノのインターネット(IoE)デバイス、マシンタイプ通信(MTC)デバイス、アプライアンス、自動車などであり得る。
【００４０】
いくつかのケースでは、UE115はまた、(たとえば、ピアツーピア(P2P)またはデバイスツーデバイス(D2D)プロトコルを使用して)他のUEと直接通信することが可能であり得る。D2D通信を利用するUE115のグループのうちの1つまたは複数は、セルのカバレージエリア110内にあり得る。そのようなグループの中の他のUE115は、セルのカバレージエリア110の外にあり、またはさもなければ基地局105から送信を受信することが不可能であり得る。いくつかのケースでは、D2D通信を介して通信するUE115のグループは、各UE115がグループの中のすべての他のUE115へ送信する1対多(1:M)システムを利用し得る。いくつかのケースでは、基地局105は、D2D通信のためのリソースのスケジューリングを円滑にする。他のケースでは、D2D通信は、基地局105とは無関係に実践される。
【００４１】
MTCデバイスまたはIoTデバイスなどのいくつかのUE115は、低コストまたは低複雑度のデバイスであってよく、機械間の自動化された通信、すなわち、マシンツーマシン(M2M)通信を提供し得る。M2MまたはMTCは、人が介在することなく、デバイスが互いとまたは基地局と通信することを可能にするデータ通信技術を指すことがある。たとえば、M2MまたはMTCは、センサまたはメータを組み込んで情報を測定または捕捉し、その情報を利用することができる中央サーバまたはアプリケーションプログラムにその情報を中継するか、またはプログラムもしくはアプリケーションと対話する人間に情報を提示する、デバイスからの通信を指す場合がある。いくつかのUE115は、情報を収集するように、またはマシンの自動化された挙動を可能にするように設計され得る。MTCデバイスの用途の例には、スマートメータリング、在庫モニタリング、水位モニタリング、機器モニタリング、医療モニタリング、野生生物モニタリング、天候および地質学的事象モニタリング、船団管理および追跡、リモートセキュリティ検知、物理的アクセス制御、ならびに取引ベースのビジネス課金がある。
【００４２】
いくつかのケースでは、MTCデバイスは、低減されたピークレートで半二重(一方向)通信を使用して動作し得る。MTCデバイスはまた、アクティブ通信に関与していないとき、電力節約「ディープスリープ」モードに入るように構成され得る。いくつかのケースでは、MTCまたはIoTデバイスはミッションクリティカル機能をサポートするように設計されることがあり、ワイヤレス通信システムはこれらの機能のために超高信頼性通信を提供するように構成されることがある。
【００４３】
基地局105は、コアネットワーク130と、および互いと通信し得る。たとえば、基地局105は、バックホールリンク132(たとえば、S1など)を通してコアネットワーク130とインターフェースし得る。基地局105は、直接または間接的にのいずれかで(たとえば、コアネットワーク130を通して)バックホールリンク134(たとえば、X2など)を介して互いと通信し得る。基地局105は、UE115との通信のための無線構成およびスケジューリングを実施し得るか、または基地局コントローラ(図示せず)の制御下で動作し得る。いくつかの例では、基地局105は、マクロセル、スモールセル、ホットスポットなどであってよい。基地局105は、発展型ノードB(eNB)105と呼ばれることもある。
【００４４】
基地局105は、S1インターフェースによってコアネットワーク130に接続され得る。コアネットワークは、発展型パケットコア(EPC)であってよく、発展型パケットコア(EPC)は、少なくとも1つのモビリティ管理エンティティ(MME)、少なくとも1つのサービングゲートウェイ(S-GW)、および少なくとも1つのパケットデータネットワーク(PDN)ゲートウェイ(P-GW)を含み得る。MMEは、UE115とEPCとの間のシグナリングを処理する制御ノードであり得る。すべてのユーザインターネットプロトコル(IP)パケットは、それ自体がP-GWに接続され得るS-GWを通して転送されてよい。P-GWは、IPアドレス割振りならびに他の機能を提供し得る。P-GWは、ネットワーク事業者のIPサービスに接続され得る。事業者のIPサービスは、インターネット、イントラネット、IPマルチメディアサブシステム(IMS)、およびパケット交換(PS)ストリーミングサービスを含み得る。
【００４５】
コアネットワーク130は、ユーザ認証、アクセス許可、追跡、インターネットプロトコル(IP)接続性、および他のアクセス機能、ルーティング機能、またはモビリティ機能を提供し得る。基地局105またはコアネットワークデバイスなどのネットワークデバイスのうちの少なくともいくつかは、アクセスノードコントローラ(ANC)の例であり得る、アクセスネットワークエンティティなどの副構成要素を含み得る。各アクセスネットワークエンティティは、その各々がスマート無線ヘッド、または送受信ポイント(TRP)の例であり得る、基地局など、いくつかの他のアクセスネットワーク送信エンティティを通して、いくつかのUE115と通信し得る。いくつかの構成では、各アクセスネットワークエンティティまたは基地局105の様々な機能は、様々なネットワークデバイス(たとえば、無線ヘッドおよびアクセスネットワークコントローラ)にわたって分散されるか、単一のネットワークデバイス(たとえば、基地局105)に統合され得る。
【００４６】
ワイヤレス通信システム100は、700MHzから2600MHz(2.6GHz)までの周波数帯域を使用する極高周波(UHF)周波数領域の中で動作し得るが、いくつかのネットワーク(たとえば、ワイヤレスローカルエリアネットワーク(WLAN))は、4GHz程度の高い周波数を使用し得る。この領域は、波長が約1デシメートルから1メートルの長さに及ぶので、デシメートル帯域と知られていることもある。UHF波は、主に見通し線によって伝搬することがあり、建物および環境的な特徴物によって遮蔽されることがある。しかしながら、この波は、屋内に位置するUE115にサービスを提供するのに十分な程度に壁を貫通し得る。UHF波の送信は、スペクトルの高周波(HF)または超高周波(VHF)部分のより小さい周波数(および、より長い波)を使用する送信と比較して、より小型のアンテナおよびより短い距離(たとえば、100km未満)によって特徴付けられる。いくつかのケースでは、ワイヤレス通信システム100は、スペクトルの極高周波(EHF)部分(たとえば、30GHzから300GHzまで)も使用し得る。この領域は、波長がほぼ1ミリメートルから1センチメートルの長さにわたるので、ミリメートル帯域と知られていることもある。したがって、EHFアンテナは、UHFアンテナよりもさらに小型であり、より間隔が密であり得る。いくつかのケースでは、このことは、UE115内の(たとえば、指向性ビームフォーミングのための)アンテナアレイの使用を容易にし得る。しかしながら、EHF送信は、UHF送信よりもさらに大きい大気減衰およびより短い距離を受けることがある。
【００４７】
したがって、ワイヤレス通信システム100は、UE115と基地局105との間のミリ波(mmW)通信をサポートし得る。mmW帯域またはEHF帯域において動作するデバイスは、ビームフォーミングを可能にするために複数のアンテナを有し得る。すなわち、基地局105は、UE115との指向性通信のためのビームフォーミング動作を行うために、複数のアンテナまたはアンテナアレイを使用し得る。ビームフォーミング(空間フィルタリングまたは指向性送信と呼ばれることもある)とは、ターゲット受信機(たとえば、UE115)の方向にアンテナビーム全体を成形および/またはステアリングするために、送信機(たとえば、基地局105)において使用され得る信号処理技法である。これは、特定の角度における送信信号が、強め合う干渉を受ける一方、他の角度における送信信号が、弱め合う干渉を受けるような方法で、アンテナアレイにおける要素を組み合わせることによって達成され得る。
【００４８】
多入力多出力(MIMO)ワイヤレスシステムは、送信機(たとえば、基地局105)と受信機(たとえば、UE115)との間である送信方式を使用し、送信機と受信機の両方が、複数のアンテナを備える。ワイヤレス通信システム100のいくつかの部分は、ビームフォーミングを使用し得る。たとえば、基地局105は、基地局105がUE115との通信においてビームフォーミングのために使用し得るアンテナポートのいくつかの行および列を有するアンテナアレイを有し得る。信号は、異なる方向において複数回送信され得る(たとえば、各送信は、異なるようにビームフォーミングされ得る)。mmW受信機(たとえば、UE115)は、同期信号を受信しながら複数のビーム(たとえば、アンテナサブアレイ)を試行し得る。
【００４９】
いくつかのケースでは、基地局105またはUE115のアンテナは、ビームフォーミング動作またはMIMO動作をサポートし得る1つまたは複数のアンテナアレイ内に位置してよい。1つまたは複数の基地局アンテナまたはアンテナアレイは、アンテナタワーなどのアンテナアセンブリにおいて併置され得る。いくつかのケースでは、基地局105に関連付けられたアンテナまたはアンテナアレイは、多様な地理的位置に位置し得る。基地局105は、UE115との指向性の通信のためのビームフォーミング動作を行うために、複数のアンテナまたはアンテナアレイを使用し得る。
【００５０】
いくつかのケースでは、ワイヤレス通信システム100は、階層化プロトコルスタックに従って動作するパケットベースネットワークであってよい。ユーザプレーンでは、ベアラまたはパケットデータコンバージェンスプロトコル(PDCP)レイヤにおける通信は、IPベースであってよい。無線リンク制御(RLC)レイヤは、いくつかのケースでは、論理チャネルを介して通信するために、パケットのセグメント化および再アセンブリを実施してよい。媒体アクセス制御(MAC)レイヤは、優先順位処理と、トランスポートチャネルへの論理チャネルの多重化とを実施し得る。MACレイヤはまた、MACレイヤにおける再送信を行ってリンク効率を改善するために、ハイブリッドARQ(HARQ)を使用してもよい。制御プレーンでは、無線リソース制御(RRC)プロトコルレイヤが、ユーザプレーンデータのための無線ベアラをサポートする、UE115と基地局105またはコアネットワーク130との間のRRC接続の確立、構成、および保守を行い得る。物理(PHY)レイヤにおいて、トランスポートチャネルが物理チャネルにマッピングされることがある。
【００５１】
LTEまたはNRにおける時間間隔は、(Ts=1/30,720,000秒というサンプリング周期であってよい)基本時間単位の倍数で表され得る。時間リソースは、0から1023にわたるシステムフレーム番号(SFN)によって識別され得る、10ms(Tf=307200Ts)の長さの無線フレームに従って編成され得る。各フレームは、0から9の番号を付けられた10個の1msサブフレームを含み得る。サブフレームは、2つの0.5msスロットにさらに分割され得、スロットの各々は、(各シンボルにプリペンドされたサイクリックプレフィックスの長さに応じて)6個または7個の変調シンボル期間を含む。サイクリックプレフィックスを除いて、各シンボルは2048個のサンプル期間を含む。いくつかのケースでは、サブフレームは、TTIとも呼ばれる最小のスケジューリング単位であってよい。他のケースでは、TTIは、サブフレームよりも短いことがあり、または(たとえば、短いTTIバーストにおいて、もしくは短いTTIを使用する選択されたコンポーネントキャリアにおいて)動的に選択されることがある。
【００５２】
リソース要素は、1つのシンボル期間および1つのサブキャリア(たとえば、15kHz周波数範囲)を含み得る。リソースブロックは、周波数領域において12個の連続するサブキャリアを含み、各OFDMシンボルの中のノーマルサイクリックプレフィックスについて、時間領域(1スロット)において7個の連続するOFDMシンボル、すなわち84個のリソース要素を含み得る。各リソース要素によって搬送されるビットの数は、変調方式(各シンボル期間の間に選択され得るシンボルの構成)に依存し得る。したがって、UEが受信するリソースブロックが多く、変調方式が高いほど、データレートが高くなり得る。
【００５３】
ワイヤレス通信システム100は、複数のセルまたはキャリア上での動作、すなわち、キャリアアグリゲーション(CA)またはマルチキャリア動作と呼ばれることがある特徴をサポートし得る。キャリアはまた、コンポーネントキャリア(CC)、レイヤ、チャネルなどと呼ばれる場合もある。「キャリア」、「コンポーネントキャリア」、「セル」、および「チャネル」という用語は、本明細書で互換的に使用されることがある。UE115は、キャリアアグリゲーションのために、複数のダウンリンクCCと1つまたは複数のアップリンクCCとで構成され得る。キャリアアグリゲーションは、FDDコンポーネントキャリアとTDDコンポーネントキャリアの両方に使用されてよい。
【００５４】
いくつかのケースでは、ワイヤレス通信システム100は、拡張コンポーネントキャリア(eCC)を使用し得る。eCCは、より広い帯域幅、より短いシンボル時間長、より短いTTI、および修正された制御チャネル構成を含む、1つまたは複数の機能によって特徴付けられてよい。いくつかのケースでは、eCCは、(たとえば、複数のサービングセルが準最適または非理想的なバックホールリンクを有するとき)キャリアアグリゲーション構成またはデュアル接続性構成に関連し得る。eCCはまた、(2つ以上の事業者がスペクトルを使用することを許容される場合)無認可スペクトルまたは共有スペクトルでの使用のために構成され得る。広い帯域幅によって特徴付けられたeCCは、全帯域幅を監視することが可能ではない、または(たとえば、電力を節約するために)限られた帯域幅を使用することを好む、UE115によって利用され得る1つまたは複数のセグメントを含み得る。
【００５５】
いくつかのケースでは、eCCは、他のCCとは異なるシンボル持続時間を利用してよく、そのことは、他のCCのシンボル持続時間と比較して短縮されたシンボル持続時間の使用を含んでよい。より短いシンボル持続時間は、より大きいサブキャリア間隔に関連付けられる。eCCを利用する、UE115または基地局105などのデバイスが、低減されたシンボル時間長(たとえば、16.67マイクロ秒)において、広帯域信号(たとえば、20、40、60、80MHzなど)を送信し得る。eCC中のTTIは、1つまたは複数のシンボルを含み得る。いくつかのケースでは、TTI時間長(すなわち、TTI中のシンボルの数)は可変であり得る。
【００５６】
共有無線周波数スペクトル帯域は、NR共有スペクトルシステムにおいて使用され得る。たとえば、NR共有スペクトルは、特に、認可スペクトル、共有スペクトル、および無認可スペクトルの任意の組合せを使用し得る。eCCのシンボル持続時間およびサブキャリア間隔の柔軟性により、複数のスペクトルにわたるeCC使用が可能になり得る。いくつかの例では、NR共有スペクトルは、特にリソースの動的な垂直方向の(たとえば、周波数にわたる)共有および水平方向の(たとえば、時間にわたる)共有を通して、スペクトル利用率およびスペクトル効率を高め得る。
【００５７】
いくつかのケースでは、ワイヤレス通信システム100は、認可無線周波数スペクトル帯域と無認可無線周波数スペクトル帯域の両方を利用することができる。たとえば、ワイヤレス通信システム100は、5GHz産業科学医療(ISM:Industrial, Scientific, and Medical)用帯域などの無認可帯域において、LTEライセンス補助アクセス(LTE-LAA:LTE License Assisted Access)もしくはLTE無認可(LTE U:LTE Unlicensed)無線アクセス技術またはNR技術を採用し得る。無認可無線周波数スペクトル帯域において動作するとき、基地局105およびUE115などのワイヤレスデバイスは、データを送信する前にチャネルがクリアであることを保証するために、リッスンビフォアトーク(LBT)手順を利用してよい。いくつかのケースでは、無認可帯域における動作は、認可帯域において動作するCCと連携したCA構成に基づき得る。無認可スペクトルにおける動作は、ダウンリンク送信、アップリンク送信、または両方を含み得る。無認可スペクトルにおける複信は、周波数分割複信(FDD)、時分割複信(TDD)、または両方の組合せに基づき得る。
【００５８】
図2は、本開示の態様による、白色化を介した、プリコーディングされた送信要求および送信可による空間的リッスンビフォアトークをサポートするワイヤレス通信システム200の例を示す。いくつかの例では、ワイヤレス通信システム200は、ワイヤレス通信システム100の態様を実装し得る。
【００５９】
ワイヤレス通信システム200は、図1を参照して記載した基地局105の態様の例であってよい、第1の基地局205および第2の基地局210を含み得る。ワイヤレス通信システム200は、図1を参照して記載したUE115の態様の例であってよい、第1のUE215および第2のUE220をさらに含み得る。第1の基地局205および第1のUE215は第1の基本サービスセットのメンバーであってよく、第2の基地局210および第2のUE220は第2の基本サービスセットのメンバーであってよい。
【００６０】
第1の基地局205は、第1のチャネルH1 225に沿って第1のUE215と通信し得る。第2の基地局210は、第2のチャネルH2 230に沿って第2のUE220と通信し得る。第1のUE215は、第1の干渉チャネルG1 235に沿って、第2の基地局210から干渉を受信する場合がある。第2のUE220は、第2の干渉チャネルG2 240に沿って、第1の基地局205から干渉を受信する場合がある。
【００６１】
第1のUE215は、受信フィルタPを着信送信用に使い得る。第2の基地局210は、送信プリコーダWを発信送信用に使い得る。第1の干渉チャネルG1 235に沿った干渉は、PGWと定義され得る。いくつかの例では、第1のUE215が別のデバイス(たとえば、第1の基地局205)から情報を受信している間、第2の基地局210は、(たとえば、第2のUE220へ)送信するべき情報を有する場合がある。第1のUE215における送信と干渉するのを避けるために、第2の基地局210は、PGWがゼロに等しいか、または閾値を下回るように、送信プリコーダWを設計し得る。
【００６２】
いくつかの例では、第1の基地局205は、第1のUE215に送信する準備ができた情報を有し得る。第1の基地局205は、媒体を予約するのに、リッスンビフォアトーク(LBT)手順を使えばよい。第1の基地局205は、送信要求(RTS)信号を第1のUE215へ送信し得る。
【００６３】
第1のUE215は、送信可(CTS)信号を第1の基地局205へ送信し得る。第1のUE215は、CTS信号中で受信フィルタPを示し得る。たとえば、第1のUE215は、受信フィルタPに少なくとも部分的に基づいてCTS信号をプリコーディングすることができる。いくつかの例では、第1のUE215は、受信フィルタの転置PTによって、CTS信号をプリコーディングすることができる。CTS信号は、第2の基地局210においてGTPTxとして受信され得る。
【００６４】
第2の基地局210は、受信されたCTS信号に少なくとも部分的に基づいて、送信プリコーダWを判断することができる。いくつかの例では、送信プリコーダWは、白色化フィルタ(whitening filter)および2次フィルタを含み得る。第2の基地局210は、空間的LBTテストに少なくとも部分的に基づいて、1つまたは複数の候補送信プリコーダから送信プリコーダWを選択することができる。たとえば、第2の基地局210は、送信プリコーダの転置によってプリコーディングされた、受信された信号の共分散が閾値未満である場合、送信プリコーダWを選択してよい。
【００６５】
第2の基地局210は、第2の送信要求(RTS)信号を第2のUE220へ送信し得る。第2の基地局210は、第2のRTS信号中で送信プリコーダWを示し得る。たとえば、第2のRTS信号は、送信プリコーダWによってプリコーディングされ得る。
【００６６】
第2のUE220は、第2のRTS信号に少なくとも部分的に基づいて、空間フィルタを導出することができる。たとえば、第2のUE220は、第2のUE220における受信された信号および白色化されたチャネル(whitened channel)に少なくとも部分的に基づいて、空間フィルタを導出することができる。第2のUE220は、第2のCTS信号を送信することによって応答し得る。第2のUE220は、空間フィルタを示すことができる。たとえば、第2のUE220は、空間フィルタの転置によってプリコーディングされ得る。
【００６７】
第1のUE215が、送信プリコーダWを用いてデータをプリコーディングすることによって、第1の基地局205からデータを受信している間、第2の基地局210は、第2のUE220へデータを送信してよい。
【００６８】
図3は、本開示の態様による、白色化を介した、プリコーディングされた送信要求および送信可による空間的リッスンビフォアトークをサポートするワイヤレス通信ネットワーク300の例を示す。いくつかの例では、ワイヤレス通信ネットワーク300は、ワイヤレス通信システム100の態様を実装し得る。
【００６９】
ワイヤレス通信ネットワーク300は、基地局305およびUE310を含む。基地局305およびUE310は、図1を参照して説明した基地局105およびUE115の態様の例であってよい。基地局305およびUE310は、チャネルG315を介して通信し得る。
【００７０】
いくつかの例では、基地局305は、送信プリコーダW320を使って送信することができる。プリコーディングされた送信は、チャネルG315に沿って移動し得る。UE310は、受信フィルタP325を送信に適用し得る。したがって、UE310は、基地局305から信号PGWを受信する。UE310によって受信される他の送信との干渉を避けるために、基地局305は、送信が受信フィルタP325を通されるとき、ヌルを作成し得る。基地局305は、PGWがゼロに近いか、または等しくなるような送信プリコーダWを選択し得る。ただし、基地局305は、受信フィルタP325またはチャネルG315の知識を有していない場合がある。
【００７１】
基地局305は、UE310から受信された情報に少なくとも部分的に基づいて、送信プリコーダW320を選択し得る。たとえば、基地局305は、リッスンビフォアトーク(LBT)手順の一部として、UE310からの1つまたは複数の送信(たとえば、送信可信号)に少なくとも部分的に基づいて、送信プリコーダW320を選択し得る。
【００７２】
いくつかの例では、UE310は、別のワイヤレスデバイス(たとえば、第2の基地局)から送信要求信号を受信し得る。送信要求(RTS)信号は、第2の基地局がUE310へデータを送信することを意図していることを示すことができる。RTS信号に応答して、UE310は送信可(CTS)信号を送信し得る。UE310は、受信フィルタP325に少なくとも部分的に基づいて、CTS信号をプリコーディングし得る。たとえば、UE310は、受信フィルタP325の転置に少なくとも部分的に基づいて、CTS信号をプリコーディングしてよい。基地局305において受信されるCTS信号は、
y=GTPTx+n (1)
と記述することができ、上式で、yは、基地局305において受信される信号であり、xはCTS信号であり、PTは受信フィルタP325の転置であり、GTはチャネルG315の転置であり、nは雑音である。いくつかの例では、信号yは、受信されたCTS信号、およびそれらに関連付けられたネットワーク割振りベクトル(NAV)から合成され得る。
【００７３】
基地局305は、WT(GTPTx)が閾値未満であるかどうかをテストすることによって、候補送信プリコーダが実現可能であるかどうかをテストすることができる。
【００７４】
基地局305は、受信された信号yを使って、送信プリコーダW320についての適切な値を選択することができる。基地局305は、閾値に少なくとも部分的に基づいて、送信プリコーダW320についての値を選択し得る。たとえば、受信された信号yの共分散は、
Nt=GTPTPG+σ2 (2)
と定義することができ、上式で、Ntは、受信された信号yの共分散であり、σは雑音および干渉分散である。基地局305は、信号WTyの共分散に少なくとも部分的に基づいて、送信プリコーダW320についての値を選択し得る。たとえば、送信プリコーダW320の値は、以下の制約が満たされるように選択されてよく、
WTNtW<∈I (3)
上式で、WTは送信プリコーダW320の転置であり、∈は閾値であり、Iは単位行列である。
【００７５】
送信プリコーダW320は、白色化フィルタに少なくとも部分的に基づいて定義され得る。たとえば、送信プリコーダW320は、
【数１】
0006749518.tif 000002
と定義することができ、上式で、
【数２】
0006749518.tif 000003
は白色化フィルタである。式(3)に記述されているLBTテストは、
【数３】
0006749518.tif 000004
と書き換えることができ、上式で、
【数４】
0006749518.tif 000005
は、
【数５】
0006749518.tif 000006
の転置である。いくつかの例では、LBTテストは、白色化チャネルに対する電力制約を守ることと等価と見なされ得る。
【００７６】
いくつかの例では、受信フィルタP325は、式(4)における送信プリコーダW320の定義と同様、白色化フィルタに少なくとも部分的に基づいて定義され得る。したがって、基地局305とUE310との間の有効チャネルGeffは、
【数６】
0006749518.tif 000007
と定義することができ、上式で、
【数７】
0006749518.tif 000008
はUE310における白色化フィルタであり、
【数８】
0006749518.tif 000009
は基地局305における白色化フィルタである。
【００７７】
図4は、本開示の態様による、白色化を介した、プリコーディングされた送信要求および送信可による空間的リッスンビフォアトークをサポートするワイヤレス通信ネットワーク400の例を示す。いくつかの例では、ワイヤレス通信ネットワーク400は、ワイヤレス通信システム100の態様を実装し得る。
【００７８】
ワイヤレス通信ネットワーク400は、基地局405およびUE410を含む。基地局405およびUE410は、図1を参照して説明した基地局105およびUE115の態様の例であってよい。基地局405およびUE410は、チャネルG415を介して通信し得る。基地局405は、図3を参照して記載したように、白色化フィルタ420aおよび2次フィルタ
【数９】
0006749518.tif 000010
を含む送信プリコーダW420を使用することができる。UE410は、図3を参照して記載したように、白色化フィルタ425aおよび2次フィルタ
【数１０】
0006749518.tif 000011
を含む受信フィルタP425を使用することができる。
【００７９】
図5は、本開示の態様による、白色化を介した、プリコーディングされた送信要求および送信可による空間的リッスンビフォアトークをサポートするワイヤレス通信ネットワーク500の例を示す。いくつかの例では、ワイヤレス通信ネットワーク500は、ワイヤレス通信システム100の態様を実装し得る。
【００８０】
ワイヤレス通信ネットワーク500は、基地局505および第1のUE510を含む。基地局505および第1のUE510は、図1を参照して説明した基地局105およびUE115の態様の例であってよい。基地局505および第1のUE510は、チャネルG515を介して通信し得る。基地局505は、図3および図4を参照して記載したように、白色化フィルタ420aおよび2次フィルタ
【数１１】
0006749518.tif 000012
を含む送信プリコーダW520を使用することができる。第1のUE510は、図3および図4を参照して記載したように、白色化フィルタ425aおよび2次フィルタ
【数１２】
0006749518.tif 000013
を含む受信フィルタP525を使用することができる。
【００８１】
ワイヤレス通信ネットワーク500は、図1を参照して説明したUE115の態様の例であり得る第2のUE530も含み得る。基地局505は、チャネルH535を介して第2のUE530と通信し得る。第2のUE530は、第2の受信フィルタ
【数１３】
0006749518.tif 000014
を使用することができる。
【００８２】
いくつかの例では、基地局505は、図3を参照して記載したように、第1のUE510からCTS信号を受信し、送信プリコーダW520を選択することができる。ハンドシェーキング手順が、
【数１４】
0006749518.tif 000015
と受信フィルタ
【数１５】
0006749518.tif 000016
の組合せを、基地局505と第2のUE530との間の倍に白色化されたチャネル、および電力制約
【数１６】
0006749518.tif 000017
に基づいて選択するのに使われ得る。倍に白色化されたチャネルは、
【数１７】
0006749518.tif 000018
と記述することができ、上式で、
【数１８】
0006749518.tif 000019
は、第2のUE530における白色化フィルタである。
【００８３】
基地局505は次いで、送信プリコーダW520についての選択された値に少なくとも部分的に基づいて、第2のUE530へデータを送信してよい。たとえば、基地局505は、データに送信プリコーダW520を適用してよい。送信プリコーダW520は、基地局505と第2のUE530との間のハンドシェイク手順に基づいて選択された成分(たとえば、2次フィルタ
【数１９】
0006749518.tif 000020
)を含み得る。
【００８４】
いくつかの例では、ダウンリンクおよびアップリンク方向は、リンクの間で位置合せされない場合がある。そのような例では、基地局505は、白色化フィルタ
【数２０】
0006749518.tif 000021
を、第1のUE510からのCTS信号、およびCTS信号が応答する他の基地局からのRTS信号に少なくとも部分的に基づいて計算し得る。第2のUE530は、白色化フィルタ
【数２１】
0006749518.tif 000022
を、第1のUE510からのCTS信号、およびCTS信号が応答する他の基地局からのRTS信号に少なくとも部分的に基づいて計算することができる。
【００８５】
図6は、本開示の態様による、白色化を介した、プリコーディングされた送信要求および送信可による空間的リッスンビフォアトークをサポートするワイヤレス通信ネットワーク600の例を示す。いくつかの例では、ワイヤレス通信ネットワーク600は、ワイヤレス通信システム100の態様を実装し得る。
【００８６】
ワイヤレス通信ネットワーク600は、基地局605およびUE610を含む。基地局605およびUE610は、図1を参照して説明した基地局105およびUE115の態様の例であってよい。基地局605およびUE610は、チャネルG615を介して通信し得る。基地局605は、図3および図4を参照して記載したように、基地局白色化フィルタ620aおよび2次フィルタ
【数２２】
0006749518.tif 000023
を含む送信プリコーダW620を使用し得る。UE610は、図3および図4を参照して記載したように、UE白色化フィルタ625aおよび2次フィルタ
【数２３】
0006749518.tif 000024
を含む受信フィルタP625を使用し得る。
【００８７】
ワイヤレス通信ネットワーク600は、図1を参照して説明したUE115の態様の例であり得るサービングUE630も含み得る。基地局605は、チャネルH635を介してサービングUE630と通信し得る。サービングUE630は、第2の受信フィルタ
【数２４】
0006749518.tif 000025
を使用し得る。
【００８８】
第1の白色化されたチャネル645が、基地局605とUE610との間に存在し得る。第1の白色化されたチャネル645は、基地局白色化フィルタ620a、チャネルG615、およびUE白色化フィルタ625aを含み得る。第2の白色化されたチャネル650が、基地局605とサービングUE630との間に存在し得る。第2の白色化されたチャネル650は、基地局白色化フィルタ620aおよびチャネルH635を含み得る。
【００８９】
図7は、本開示の態様による、白色化を介した、プリコーディングされた送信要求および送信可による空間的リッスンビフォアトークをサポートするワイヤレス通信ネットワーク700の例を示す。いくつかの例では、ワイヤレス通信ネットワーク700は、ワイヤレス通信システム100の態様を実装し得る。
【００９０】
ワイヤレス通信ネットワーク700は、基地局705およびUE710を含む。基地局705およびUE710は、図1を参照して説明した基地局105およびUE115の態様の例であってよい。基地局705とUE710は、図1を参照して記載した、第1の白色化されたチャネル645の態様の例であってよい、白色化されたチャネルG715を介して通信し得る。基地局705は、図3、図4、および図6を参照して記載したように、送信プリコーダ
【数２５】
0006749518.tif 000026
を使用し得る。UE710は、図3、図4、および図6を参照して記載したように、受信フィルタ
【数２６】
0006749518.tif 000027
を使用し得る。
【００９１】
ワイヤレス通信ネットワーク700は、図1を参照して説明したUE115の態様の例であり得るサービングUE730も含み得る。基地局705は、図1を参照して記載した、第2の白色化されたチャネル650の態様の例であってよい、白色化されたチャネルH735を介して、サービングUE730と通信し得る。サービングUE730は、第2の受信フィルタ
【数２７】
0006749518.tif 000028
を使用し得る。
【００９２】
図8は、本開示の様々な態様による、白色化を介した、プリコーディングされた送信要求および送信可による空間的リッスンビフォアトークをサポートするワイヤレス通信ネットワークにおける通信の流れ図800の例を示す。いくつかの例では、ワイヤレス通信ネットワークは、ワイヤレス通信システム100の態様を実装し得る。
【００９３】
流れ図800は、第1のUE(UE1)805、第2の基地局(eNB2)810、およびサービングUE(UE2)815を伴う通信を示す。UE1 805およびUE2 815は、図1を参照して説明したUE115の態様の例であってよい。第2の基地局810は、図1を参照して説明した基地局105の態様の例であってよい。
【００９４】
第1のUE UE1 805が、第1の基地局(図示せず)からRTS信号820を受信し得る。RTS信号820は、第1の基地局が、UE1 805へ送信するべきデータを有することを示し得る。
【００９５】
UE1 805は、RTS信号820に応答してCTS信号825を送信し得る。CTS信号825は、受信フィルタPに少なくとも部分的に基づいてプリコーディングされ得る。たとえば、CTS信号825は、受信フィルタの転置PTに少なくとも部分的に基づいてプリコーディングされ得る。CTS信号825は、第1の基地局へアドレス指定されてよいが、第2の基地局810によって受信されてもよい。
【００９６】
第2の基地局810は、CTS信号825に少なくとも部分的に基づいて、830において送信プリコーダWを判断することができる。いくつかの例では、第2の基地局810は、図1を参照して記載したように、空間的LBTテストに少なくとも部分的に基づいて送信プリコーダWを判断し得る。
【００９７】
第2の基地局810は、UE2 815へ第2のRTS信号835を送信し得る。第2のRTS信号835は、第2の基地局810が、第2のUE UE2 815へ送信するべきデータを有することを示し得る。第2のRTS信号835は、送信プリコーダWに少なくとも部分的に基づいてプリコーディングされ得る。
【００９８】
UE2 815は、第2のRTS信号835に少なくとも部分的に基づいて、840において第2の受信フィルタP2を導出することができる。たとえば、UE2 815は、第2の2次受信フィルタ
【数２８】
0006749518.tif 000029
を、第2のRTS信号835および白色化フィルタに少なくとも部分的に基づいて導出することができる。
【００９９】
UE2 815は、第2のRTS信号835に応答して、第2のCTS信号845を送信し得る。第2のCTS信号845は、第2の受信フィルタP2に少なくとも部分的に基づいてプリコーディングされ得る。たとえば、第2のCTS信号845は、第2の受信フィルタの転置PTを用いてプリコーディングされ得る。
【０１００】
第2の基地局810は、送信プリコーダWを使って、UE2 815へデータ850を送信し得る。データ850のランクは、第1の基地局と第1のUE805との間のリンクのランク、第2の基地局810と第2のUE815との間のリンクのランク、またはそれらの組合せに少なくとも部分的に基づいて判断され得る。いくつかの例では、第2の基地局810は、CTS信号825に少なくとも部分的に基づいて、データについての適切なランクを判断してよい。たとえば、第1の基地局と第1のUE UE1 805との間のリンクは、高ジオメトリをもつ1×1リンク(すなわち、1つの送信アンテナおよび1つの受信アンテナをもつリンク)であり得る。第2の基地局810と第2のUE UE2 815との間のリンクは2×2リンクであり得る。第2の基地局810は、CTS信号825の強いランク-1共分散を判断し得る。したがって、最適2次フィルタ
【数２９】
0006749518.tif 000030
は、ランク1を有し、優固有方向(dominant eigen-direction)によって与えられ得る。第2の基地局810はしたがって、ランク1をもつデータ850を送信することができる。
【０１０１】
他の例では、第1の基地局と第1のUE UE1 805との間のリンクは、高ジオメトリをもつ1×2リンクであり得る。第2の基地局810と第2のUE UE2 815との間のリンクは2×2リンクであり得る。CTS信号825はランク1送信であり得る。UE1 805は、ランク1のプリコーディングされたCTS信号825を送信し得る。第2の基地局810は、CTS信号825の強いランク-1共分散を判断し得る。したがって、最適2次フィルタ
【数３０】
0006749518.tif 000031
は、ランク1を有し、優固有方向によって与えられ得る。第2の基地局810はしたがって、ランク1をもつデータ850を送信することができる。
【０１０２】
いくつかの例(たとえば、自律またはグラント無し(grantless)アップリンク例)では、第1のUE805は、媒体予約手順を開始することができる。そのようなケースでは、第1のUE805はRTS信号820を送信し得る。それに応答して、第1の基地局はCTS信号825を送信し得る。そのような例では、第1の基地局は、基地局の受信フィルタの転置によって、CTS信号825をプリコーディングし得る。第2の基地局810は、第1の基地局から受信されたCTS信号825に少なくとも部分的に基づいて、送信プリコーダWを判断することができる。
【０１０３】
いくつかの例(たとえば、自律またはグラント無しアップリンク例)では、第2のUE815は、第2の基地局810と第2のUE815との間の送信を開始することができる。そのような例では、第2のUE815は第2のRTS信号835を送信し得る。それに応答して、第2の基地局810は、第2のCTS信号845を送信し得る。
【０１０４】
図9は、本開示の様々な態様による、白色化を介した、プリコーディングされた送信要求および送信可による空間的リッスンビフォアトークをサポートするワイヤレス通信ネットワークにおける通信のための流れ図900の例を示す。いくつかの例では、ワイヤレス通信ネットワークは、ワイヤレス通信システム100の態様を実装し得る。
【０１０５】
流れ図900は、第1のUE(UE1)905、第2の基地局(eNB2)910、およびサービングUE(UE2)915を伴う通信を示す。UE1 905およびUE2 915は、図1を参照して説明したUE115の態様の例であってよい。第2の基地局910は、図1を参照して説明した基地局105の態様の例であってよい。
【０１０６】
図1を参照して記載したように、UE1 905は、第1の基地局からRTS信号920を受信し、それに応答して、CTS信号925を送信し得る。第2の基地局910は、CTS信号925に少なくとも部分的に基づいて、930において送信プリコーダWを判断し、UE2 915へ第2のRTS信号935を送信し得る。UE2 915は、第2のRTS信号935に少なくとも部分的に基づいて、940において第2の受信フィルタを導出し、第2の基地局910へ第2のCTS信号945を送信し得る。
【０１０７】
第2の基地局910は、950において送信プリコーダWを見直すことができる。見直された送信プリコーダW'は、元の送信プリコーダWの部分空間であってよい。送信プリコーダは、たとえば、第2のCTS信号945に少なくとも部分的に基づいて、より低ランクのプリコーダへ見直され得る。
【０１０８】
たとえば、第1の基地局と第1のUE UE1 905との間のリンクは1×2リンクであり得る。第2の基地局910と第2のUE UE2 915との間のリンクは、4×4リンクであり得るが、ランク不足により、ランク3をサポートし得る。第1の基地局は、UE1 905へランク1RTS信号920を送信してよく、第1のUE905は同様に、ランク1をもつCTS信号925を送信してよい。第2の基地局910は、
【数３１】
0006749518.tif 000032
を、第2の基地局910と第2のUE915との間の白色化されたチャネルに少なくとも部分的に基づいて導出することができる。CTS信号925の強いランク1共分散、およびチャネルHがランク3であることにより、
【数３２】
0006749518.tif 000033
はランク2を有する。第2の基地局910は、送信プリコーダWを用いてプリコーディングされた第2のRTS信号935を送信し得る。第2のUE915は、ランク2をもつ第2のRTS信号935を受信し得る。第2のUE915は、第3の基地局からの強いランク1干渉に遭う場合もある。第2のUE915は、ランク1を有する受信フィルタPを導出することができる。第2のUE915は、受信フィルタの転置PTを用いてプリコーディングされた第2のCTS信号945を送信し得る。第2の基地局910の視点から、有効チャネルは、
【数３３】
0006749518.tif 000034
と記述することができ、これはランク1を有する。第2の基地局910は、プリコーダを、
【数３４】
0006749518.tif 000035
に基づいて見直し、ランク1データ955を第2のUE915へ送信し得る。
【０１０９】
別の例として、第1の基地局と第1のUE UE1 905との間のリンクは1×2リンクであり得る。第2の基地局910と第2のUE UE2 915との間のリンクは、4×4リンクであり得るが、ランク不足により、ランク3をサポートし得る。第1の基地局は、UE1 905へランク1RTS信号920を送信してよく、第1のUE905は同様に、ランク1をもつCTS信号925を送信してよい。第2の基地局910は、第2の基地局910とUE2 915との間のチャネルHを知らない場合がある。第2の基地局910は、
【数３５】
0006749518.tif 000036
を、第2の基地局910の白色化フィルタに少なくとも部分的に基づいて導出することができる。第2の基地局910は、送信プリコーダWを用いてプリコーディングされた第2のRTS信号935を送信し得る。第2のUE915は、ランク2をもつ第2のRTS信号935を受信し得る。第2のUE915は、第3の基地局からの強いランク1干渉に遭う場合もある。UE2 915は、第2の基地局910の代わりに仮想プリコーダを導出することができ、受信フィルタPを導出することができる。UE2 915は、受信フィルタの転置PTによってプリコーディングされた第2のCTS信号945を送信し得る。第2の基地局910の視点から、有効チャネルは、
【数３６】
0006749518.tif 000037
と記述することができ、これはランク1を有する。第2の基地局910は、プリコーダを、
【数３７】
0006749518.tif 000038
に基づいて導出し、ランク1データ955を第2のUE915へ送信し得る。いくつかの例では、導出されたプリコーダW'は、第2のUE915によって導出された仮想プリコーダと同じであり得る。
【０１１０】
さらなる例として、第1の基地局と第1のUE UE1 905との間のリンクは1×2リンクであり得る。第2の基地局910と第2のUE UE2 915との間のリンクは、4×4リンクであり得るが、ランク不足により、ランク3をサポートし得る。第1の基地局は、UE1 905へランク1RTS信号920を送信してよく、第1のUE905は同様に、ランク1をもつCTS信号925を送信してよい。第2の基地局910は、第2の基地局910とUE2 915との間のチャネルHを知らない場合がある。第2の基地局910は、
【数３８】
0006749518.tif 000039
を、第2の基地局910の白色化フィルタに少なくとも部分的に基づいて導出することができる。第2の基地局910は、送信プリコーダWを用いてプリコーディングされた第2のRTS信号935を送信し得る。第2のUE915は、ランク2をもつ第2のRTS信号935を受信し得る。第2のUE915は、第3の基地局からの強いランク1干渉に遭う場合もある。第2のUE2 915は、
【数３９】
0006749518.tif 000040
に等しい、受信フィルタの転置PTによってプリコーディングされた第2のCTS信号945を送信してよい。第2の基地局910の視点から、有効チャネルは、WTHTPTと記述することができる。第2の基地局910は、PHWに基づいてプリコーダWを導出することができ、ランク1データ955を第2のUE915へ送信してよい。
【０１１１】
図10は、本開示の様々な態様による、白色化を介した、プリコーディングされた送信要求および送信可による空間的リッスンビフォアトークをサポートするワイヤレス通信ネットワークにおける信号伝送1000の例を示す。いくつかの例では、ワイヤレス通信ネットワークは、ワイヤレス通信システム100の態様を実装し得る。
【０１１２】
ワイヤレス通信ネットワークは、第1の基地局gNB1、第1のUE UE1、第2の基地局gNB2、および第2のUE UE2を含み得る。第1の基地局gNB1および第2の基地局gNB2は、図1を参照して説明した基地局105の態様の例であってよい。第1のUE UE1および第2のUE UE2は、図1を参照して説明したUE115の態様の例であってよい。
【０１１３】
第1の基地局gNB1は、第1のRTS信号1005を送信し得る。第1のRTS信号1005は、第1のダウンリンクチャネル1010上で送信され得る。それに応答して、第1のUE UE1は、第1のCTS信号1015を送信し得る。第1のCTS信号1015は、第1のアップリンクチャネル1020上で送信され得る。
【０１１４】
第2の基地局gNB2は、第2のRTS信号1025を送信し得る。第2のRTS信号1025は、受信された信号の共分散N(t,Tx)に少なくとも部分的に基づいて、送信プリコーダWによってプリコーディングされ得る。第2のRTS信号は、第2のダウンリンクチャネル1030上で送信され得る。それに応答して、第2のUE UE2は、第2のCTS信号1035を送信し得る。第2のCTS信号1035は、受信された信号の共分散N(t,Rx)に少なくとも部分的に基づいて、受信フィルタP2によってプリコーディングされ得る。第2のCTS信号は、第2のアップリンクチャネル1040上で送信され得る。
【０１１５】
いくつかの例では、ダウンリンクチャネル1010、1030およびアップリンクチャネル1020、1040は、2つのリンクが互いと干渉することなく共存し得るように、リンクの間で位置合せされ得る。そのようなケースでは、第2の基地局gNB2における受信された信号の共分散は、受信された信号に少なくとも部分的に基づいて構築されてよく、または第1のCTS信号1015およびそれらのネットワーク割振りベクトルに少なくとも部分的に基づいて合成されてよい。たとえば、第2の基地局gNB2は、そのN(t,Tx)を、第1のCTS信号1015に少なくとも部分的に基づいて算出することができる。第2の基地局gNB2は、その媒体検知フィルタ、RTSプリコーダ、ダウンリンクプリコーダ、ならびにCTSおよびアップリンク受信のための受信フィルタにおいて、N(t,Tx)を適用し得る。
【０１１６】
第2のUE UE2における受信された信号の共分散は、受信された信号に少なくとも部分的に基づいて構築されてよく、または第1のRTS信号1005に少なくとも部分的に基づいて合成されてよい。たとえば、第2のUE UE2は、RTS信号1005に少なくとも部分的に基づいて、N(t,Rx)を算出することができる。第2のUE UE2は、RTSおよびダウンリンク受信のためのその受信フィルタにおいて、また、そのCTSプリコーダおよびアップリンクプリコーダにおいて、N(t,Rx)を適用し得る。
【０１１７】
図11は、本開示の様々な態様による、白色化を介した、プリコーディングされた送信要求および送信可による空間的リッスンビフォアトークをサポートするワイヤレス通信ネットワークにおける信号伝送1100の例を示す。いくつかの例では、ワイヤレス通信ネットワークは、ワイヤレス通信システム100の態様を実装し得る。
【０１１８】
ワイヤレス通信ネットワークは、第1の基地局gNB1、第1のUE UE1、第2の基地局gNB2、および第2のUE UE2を含み得る。第1の基地局gNB1および第2の基地局gNB2は、図1を参照して説明した基地局105の態様の例であり得る。第1のUE UE1および第2のUE UE2は、図1を参照して説明したUE115の態様の例であってよい。
【０１１９】
第1の基地局gNB1は、第1のRTS信号1105を送信し得る。第1のRTS信号1105は、第1のダウンリンクチャネル1110上で送信され得る。それに応答して、第1のUE UE1は、第1のCTS信号1115を送信し得る。第1のCTS信号1115は、第1のアップリンクチャネル1120上で送信され得る。
【０１２０】
第2の基地局gNB2は、第2のRTS信号1125を送信し得る。第2のRTS信号1125は、受信された信号N(t,Tx)の共分散に少なくとも部分的に基づいて、送信プリコーダWによってプリコーディングされ得る。第2のRTS信号は、第2のダウンリンクチャネル1130上で送信され得る。それに応答して、第2のUE UE2は、第2のCTS信号1135を送信し得る。第2のCTS信号1135は、受信された信号N(t,Rx)の共分散に少なくとも部分的に基づいて、受信フィルタP2によってプリコーディングされ得る。第2のCTS信号は、第2のアップリンクチャネル1140上で送信され得る。
【０１２１】
いくつかの例では、ダウンリンクおよびアップリンクチャネルは、リンクの間で位置合せされない場合がある。たとえば、ダウンリンクチャネル1110は、アップリンクチャネル1140と位置合せされない場合がある。そのような例では、第2の基地局gNB2における受信された信号の共分散N(t,Tx)は、第1のRTS信号1105および第1のCTS信号1115に少なくとも部分的に基づいて合成されてよい。第2のUE UE2における受信された信号の共分散N(t,Rx)は、第1のRTS信号1105および第1のCTS信号1115に少なくとも部分的に基づいて合成されてよい。
【０１２２】
図12は、本開示の様々な態様による、白色化を介した、プリコーディングされた送信要求および送信可による空間的リッスンビフォアトークをサポートするワイヤレス通信ネットワークにおける信号伝送1200の例を示す。いくつかの例では、ワイヤレス通信ネットワークは、ワイヤレス通信システム100の態様を実装し得る。
【０１２３】
ワイヤレス通信ネットワークは、第1の基地局gNB1、第1のUE UE1、第2の基地局gNB2、および第2のUE UE2を含み得る。第1の基地局gNB1および第2の基地局gNB2は、図1を参照して説明した基地局105の態様の例であり得る。第1のUE UE1および第2のUE UE2は、図1を参照して説明したUE115の態様の例であってよい。
【０１２４】
第1の基地局gNB1は、第1のRTS信号1205を送信し得る。第1のRTS信号1205は、第1のダウンリンクチャネル1210上で送信され得る。それに応答して、第1のUE UE1は、第1のCTS信号1215を送信し得る。第1のCTS信号1215は、第1のアップリンクチャネル1220上で送信され得る。
【０１２５】
いくつかの例では、第2のUE UE2はアップリンク送信(自律アップリンク)を開始し得る。第2のUE UE2は、第2のRTS信号1225を送信し得る。第2のRTS信号1225は、受信された信号の共分散N(t,Tx)に少なくとも部分的に基づいて、送信プリコーダWによってプリコーディングされ得る。第2のRTS信号は、第2のダウンリンクチャネル1230上で送信され得る。それに応答して、第2の基地局gNB2は、第2のCTS信号1235を送信し得る。第2のCTS信号1235は、受信された信号の共分散N(t,Rx)に少なくとも部分的に基づいて、受信フィルタP2によってプリコーディングされ得る。第2のCTS信号1235は、第2のアップリンクチャネル1240上で送信され得る。
【０１２６】
いくつかの例では、ダウンリンクチャネル1210、1230およびアップリンクチャネル1220、1240は、2つのリンクが互いと干渉することなく共存し得るように、リンクの間で位置合せされ得る。そのようなケースでは、第2のUE UE2における受信された信号の共分散は、受信された信号に少なくとも部分的に基づいて構築されてよく、または第1のCTS信号1215およびそれらのネットワーク割振りベクトルに少なくとも部分的に基づいて合成されてよい。たとえば、第2のUE UE2は、そのN(t,Tx)を、第1のCTS信号1215に少なくとも部分的に基づいて算出することができる。第2のUE UE2は、その媒体検知フィルタ、RTSプリコーダ、ダウンリンクプリコーダ、ならびにCTSおよびアップリンク受信のための受信フィルタにおいて、N(t,Tx)を適用し得る。
【０１２７】
第2の基地局gNB2における受信された信号の共分散は、受信された信号に少なくとも部分的に基づいて構築されてよく、または第1のRTS信号1205に少なくとも部分的に基づいて合成されてよい。たとえば、第2の基地局gNB2は、RTS信号1205に少なくとも部分的に基づいて、N(t,Rx)を算出することができる。第2の基地局gNB2は、RTSおよびダウンリンク受信のためのその受信フィルタにおいて、また、そのCTSプリコーダおよびアップリンクプリコーダにおいて、N(t,Rx)を適用し得る。
【０１２８】
図13は、本開示の態様による、白色化を介した、プリコーディングされた送信要求および送信可による空間的リッスンビフォアトークをサポートするワイヤレスデバイス1305のブロック図1300を示す。ワイヤレスデバイス1305は、本明細書で説明する基地局105またはUE115の態様の例であってよい。ワイヤレスデバイス1305は、受信機1310、通信マネージャ1315、および送信機1320を含み得る。ワイヤレスデバイス1305はプロセッサも含み得る。これらの構成要素の各々は、(たとえば、1つまたは複数のバスを介して)互いに通信していてよい。
【０１２９】
受信機1310は、パケット、ユーザデータ、または様々な情報チャネルに関連付けられた制御情報などの情報(たとえば、制御チャネル、データチャネル、および白色化を介した、プリコーディングされた送信要求および送信可による空間的リッスンビフォアトークに関する情報など)を受信し得る。情報はデバイスの他の構成要素に渡され得る。受信機1310は、図16を参照して記載するトランシーバ1635の態様の例であり得る。受信機1310は、単一のアンテナまたはアンテナのセットを使用し得る。
【０１３０】
通信マネージャ1315は、図16を参照して説明される通信マネージャ1615の態様の例であり得る。
【０１３１】
通信マネージャ1315および/またはその様々な副構成要素のうちの少なくともいくつかは、ハードウェア、プロセッサによって実行されるソフトウェア、ファームウェア、またはそれらの任意の組合せにおいて実装され得る。プロセッサによって実行されるソフトウェアで実装される場合、通信マネージャ1315および/またはその様々な副構成要素のうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示で説明される機能を実行するように設計されたそれらの任意の組合せによって実行され得る。通信マネージャ1315および/またはその様々な副構成要素のうちの少なくともいくつかは、機能の一部が1つまたは複数の物理デバイスによって異なる物理的位置において実装されるように分散されることを含めて、様々な場所に物理的に位置し得る。いくつかの例では、通信マネージャ1315および/またはその様々な副構成要素のうちの少なくともいくつかは、本開示の様々な態様による別個のおよび異なる構成要素であり得る。他の例では、通信マネージャ1315、および/またはその様々な副構成要素のうちの少なくともいくつかは、限定はされないが、I/O構成要素、トランシーバ、ネットワークサーバ、別のコンピューティングデバイス、本開示で説明される1つまたは複数の他の構成要素、または本開示の様々な態様によるそれらの組合せを含む、1つまたは複数の他のハードウェア構成要素と組み合わされ得る。
【０１３２】
通信マネージャ1315は、第1のワイヤレス通信デバイスから送信可信号を受信することであって、送信可信号は、第1のワイヤレス通信デバイスの受信機空間フィルタを示す、ことと、第2のワイヤレス通信デバイスによって、第1のワイヤレス通信デバイスの受信機空間フィルタに基づいて送信プリコーダを判断することと、送信プリコーダに基づいて送信要求信号をプリコーディングすることと、プリコーディングされた送信要求信号を、共有無線周波数スペクトル帯域上で送信することとを行い得る。通信マネージャ1315はまた、ワイヤレス通信デバイスにおいて、送信機プリコーダを用いてプリコーディングされた送信要求を示す信号を受信し、送信機プリコーダを用いてプリコーディングされた送信要求を示す信号に基づいて受信機プリコーダを判断し、受信機プリコーダを用いてプリコーディングされた送信可を示す信号を送信し得る。通信マネージャ1315はまた、ワイヤレス通信デバイスの受信機空間フィルタに対して転置演算を実施して、受信機空間フィルタの転置を取得し、ワイヤレス通信デバイスによって、ワイヤレス通信デバイスの受信機空間フィルタの転置に基づいて送信可信号をプリコーディングすることと、共有無線周波数スペクトル帯域を介して、プリコーディングされた送信可信号を送信し得る。
【０１３３】
送信機1320は、デバイスの他の構成要素によって生成された信号を送信し得る。いくつかの例では、送信機1320は、トランシーバモジュールにおいて受信機1310と併置されてよい。たとえば、送信機1320は、図16を参照して説明されるような、トランシーバ1635の態様の例であり得る。送信機1320は、単一のアンテナまたはアンテナのセットを利用し得る。
【０１３４】
送信機1320は、第3のワイヤレス通信デバイスへデータ信号を送信し得る。
【０１３５】
図14は、本開示の態様による、白色化を介した、プリコーディングされた送信要求および送信可による空間的リッスンビフォアトークをサポートするワイヤレスデバイス1405のブロック図1400を示す。ワイヤレスデバイス1405は、図13を参照して説明したワイヤレスデバイス1305または基地局105もしくはUE115などのワイヤレスデバイスの態様の例であってよい。ワイヤレスデバイス1405は、受信機1410、通信マネージャ1415、および送信機1420を含み得る。ワイヤレスデバイス1405はプロセッサも含み得る。これらの構成要素の各々は、(たとえば、1つまたは複数のバスを介して)互いに通信していてよい。
【０１３６】
受信機1410は、パケット、ユーザデータ、または様々な情報チャネルに関連付けられた制御情報などの情報(たとえば、制御チャネル、データチャネル、および白色化を介した、プリコーディングされた送信要求および送信可による空間的リッスンビフォアトークに関する情報など)を受信し得る。情報はデバイスの他の構成要素に渡され得る。受信機1410は、図16を参照して記載するトランシーバ1635の態様の例であり得る。受信機1410は、単一のアンテナまたはアンテナのセットを使用し得る。
【０１３７】
通信マネージャ1415は、図16を参照して説明される通信マネージャ1615の態様の例であり得る。
【０１３８】
通信マネージャ1415は、媒体予約マネージャ1425、送信プリコーダ生成器1430、プリコーディングユニット1435、受信機プリコーダ生成器1440、およびトランスポーザ1445も含み得る。
【０１３９】
媒体予約マネージャ1425は、第1のワイヤレス通信デバイスから送信可信号を受信することであって、送信可信号は、第1のワイヤレス通信デバイスの受信機空間フィルタを示す、ことと、送信可を示す信号に応答して、送信可を示すプリコーディングされた信号を送信することと、第3のワイヤレス通信デバイスから第2の送信可信号を受信することであって、第2の送信可信号は、送信プリコーダに基づいて導出されたフィルタに基づいてプリコーディングされる、ことと、プリコーディングされた送信要求信号を送信することであって、プリコーディングされた送信要求信号は、初期残存次元を有する、ことと、第3のワイヤレス通信デバイスから第2の送信可信号を受信することと、プリコーディングされた送信要求信号を、共有無線周波数スペクトル帯域上で送信することと、ワイヤレス通信デバイスにおいて、送信機プリコーダを用いてプリコーディングされた送信要求を示す信号を受信することと、受信機プリコーダを用いてプリコーディングされた送信可を示す信号を送信することと、共有無線周波数スペクトル帯域を介して、プリコーディングされた送信可信号を送信することと、送信要求信号を受信することとを行い得る。
【０１４０】
送信プリコーダ生成器1430は、第2のワイヤレス通信デバイスによって、第1のワイヤレス通信デバイスの受信機空間フィルタに基づいて送信プリコーダを判断し、共分散値に基づいて、1つまたは複数の送信プリコーダ候補のうちの1つを選択し、白色化フィルタに基づいて送信プリコーダを判断し、第1のワイヤレスデバイスから受信されたデータ信号に基づいて白色化フィルタを構築し得る。いくつかのケースでは、送信プリコーダを判断することは、1つまたは複数の送信プリコーダ候補を識別することを含む。いくつかのケースでは、方法は、検出閾値に基づいて、1つまたは複数の送信プリコーダ候補のうちの1つを選択するステップをさらに含む。いくつかのケースでは、方法は、1つまたは複数のプリコーダ候補の各々の転置および送信可信号に基づいて、1つまたは複数の送信プリコーダ候補の各々についての共分散値を判断するステップをさらに含む。いくつかのケースでは、送信プリコーダは白色化フィルタを含む。
【０１４１】
プリコーディングユニット1435は、送信プリコーダに基づいて送信要求信号をプリコーディングし、ワイヤレス通信デバイスによって、ワイヤレス通信デバイスの受信機空間フィルタの転置に基づいて送信可信号をプリコーディングし得る。
【０１４２】
受信機プリコーダ生成器1440は、送信機プリコーダを用いてプリコーディングされた送信要求を示す信号に基づいて受信機プリコーダを判断し、受信フィルタに基づいて受信機プリコーダを判断し得る。いくつかのケースでは、受信機プリコーダは、受信フィルタの転置を含む。
【０１４３】
トランスポーザ1445は、ワイヤレス通信デバイスの受信機空間フィルタに対して転置演算を実施して、受信機空間フィルタの転置を取得し得る。いくつかのケースでは、1つまたは複数の送信プリコーダ候補のうちの1つを選択することは、1つまたは複数の送信プリコーダ候補の各々の転置を算出することを含む。
【０１４４】
送信機1420は、デバイスの他の構成要素によって生成された信号を送信し得る。いくつかの例では、送信機1420は、トランシーバモジュールにおいて受信機1410と併置されてよい。たとえば、送信機1420は、図16を参照して説明されるような、トランシーバ1635の態様の例であり得る。送信機1420は、単一のアンテナまたはアンテナのセットを利用し得る。
【０１４５】
図15は、本開示の態様による、白色化を介した、プリコーディングされた送信要求および送信可による空間的リッスンビフォアトークをサポートする通信マネージャ1515のブロック図1500を示す。通信マネージャ1515は、図13、図14、および図16を参照して説明される通信マネージャ1315、通信マネージャ1415、または通信マネージャ1615の態様の例であり得る。通信マネージャ1515は、媒体予約マネージャ1520、送信プリコーダ生成器1525、プリコーディングユニット1530、受信機プリコーダ生成器1535、トランスポーザ1540、次元マネージャ1545、白色化ユニット1550、および受信フィルタ生成器1555を含み得る。これらのモジュールの各々は、直接または間接的に互いと(たとえば、1つまたは複数のバスを介して)通信し得る。
【０１４６】
媒体予約マネージャ1520は、第1のワイヤレス通信デバイスから送信可信号を受信することであって、送信可信号は、第1のワイヤレス通信デバイスの受信機空間フィルタを示す、ことと、送信可を示す信号に応答して、送信可を示すプリコーディングされた信号を送信することと、第3のワイヤレス通信デバイスから第2の送信可信号を受信することであって、第2の送信可信号は、送信プリコーダに基づいて導出されたフィルタに基づいてプリコーディングされる、ことと、プリコーディングされた送信要求信号を送信することであって、プリコーディングされた送信要求信号は、初期残存次元を有する、ことと、第3のワイヤレス通信デバイスから第2の送信可信号を受信することと、プリコーディングされた送信要求信号を、共有無線周波数スペクトル帯域上で送信することと、ワイヤレス通信デバイスにおいて、送信機プリコーダを用いてプリコーディングされた送信要求を示す信号を受信することと、受信機プリコーダを用いてプリコーディングされた送信可を示す信号を送信することと、共有無線周波数スペクトル帯域を介して、プリコーディングされた送信可信号を送信することと、送信要求信号を受信することとを行い得る。
【０１４７】
送信プリコーダ生成器1525は、第2のワイヤレス通信デバイスによって、第1のワイヤレス通信デバイスの受信機空間フィルタに基づいて送信プリコーダを判断し、共分散値に基づいて、1つまたは複数の送信プリコーダ候補のうちの1つを選択し、白色化フィルタに基づいて送信プリコーダを判断し、第1のワイヤレスデバイスから受信されたデータ信号に基づいて白色化フィルタを構築し得る。いくつかのケースでは、送信プリコーダを判断することは、1つまたは複数の送信プリコーダ候補を識別することを含む。いくつかのケースでは、方法は、検出閾値に基づいて、1つまたは複数の送信プリコーダ候補のうちの1つを選択するステップをさらに含む。いくつかのケースでは、方法は、1つまたは複数のプリコーダ候補の各々の転置および送信可信号に基づいて、1つまたは複数の送信プリコーダ候補の各々についての共分散値を判断するステップをさらに含む。いくつかのケースでは、送信プリコーダは白色化フィルタを含む。
【０１４８】
プリコーディングユニット1530は、送信プリコーダに基づいて送信要求信号をプリコーディングし、ワイヤレス通信デバイスによって、ワイヤレス通信デバイスの受信機空間フィルタの転置に基づいて送信可信号をプリコーディングし得る。
【０１４９】
受信機プリコーダ生成器1535は、送信機プリコーダを用いてプリコーディングされた送信要求を示す信号に基づいて受信機プリコーダを判断し、受信フィルタに基づいて受信機プリコーダを判断し得る。いくつかのケースでは、受信機プリコーダは、受信フィルタの転置を含む。
【０１５０】
トランスポーザ1540は、ワイヤレス通信デバイスの受信機空間フィルタに対して転置演算を実施して、受信機空間フィルタの転置を取得し得る。いくつかのケースでは、1つまたは複数の送信プリコーダ候補のうちの1つを選択することは、1つまたは複数の送信プリコーダ候補の各々の転置を算出することを含む。
【０１５１】
次元マネージャ1545は、送信可信号の次元を判断することと、送信可信号の次元に基づいて、データ通信用の残存次元を識別することと、第3のワイヤレス通信デバイスへデータ信号を送信することであって、データ信号は残存次元を有する、ことと、送信可信号の次元および第2のワイヤレス通信デバイスと第3のワイヤレス通信デバイスとの間の通信用の利用可能次元に基づいて、初期残存次元を判断することと、初期残存次元および第2の送信可信号の次元に基づいて、残存次元を判断することと、第2の送信可信号の次元に基づいて残存次元を判断することとを行い得る。
【０１５２】
白色化ユニット1550は、送信可信号、または送信可信号に関連付けられたネットワーク割振りベクトルのうちの1つに基づいて白色化フィルタを構築し、送信可信号、および送信可信号が応答する、先行する送信要求信号に基づいて白色化フィルタを構築し得る。
【０１５３】
受信フィルタ生成器1555は、送信機プリコーダを用いてプリコーディングされた送信要求を示す信号に基づいて、受信フィルタを判断し得る。
【０１５４】
図16は、本開示の態様による、白色化を介した、プリコーディングされた送信要求および送信可による空間的リッスンビフォアトークをサポートするデバイス1605を含むシステム1600の図を示す。デバイス1605は、たとえば、図13、および図14を参照して上記で説明したような、ワイヤレスデバイス1305、ワイヤレスデバイス1405、または基地局105もしくはUE115などのワイヤレスデバイスの構成要素の例であるか、またはそれを含み得る。デバイス1605は、通信マネージャ1615、プロセッサ1620、メモリ1625、ソフトウェア1630、トランシーバ1635、アンテナ1640、およびI/Oコントローラ1645を含む、通信を送信および受信するための構成要素を含む、双方向音声およびデータ通信のための構成要素を含み得る。これらの構成要素は、1つまたは複数のバス(たとえば、バス1610)を介して電子通信し得る。
【０１５５】
プロセッサ1620は、インテリジェントハードウェアデバイス(たとえば、汎用プロセッサ、DSP、中央処理ユニット(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。いくつかのケースでは、プロセッサ1620は、メモリコントローラを使ってメモリアレイを操作するように構成され得る。他のケースでは、メモリコントローラは、プロセッサ1620に統合され得る。プロセッサ1620は、様々な機能(たとえば、白色化を介した、プリコーディングされた送信要求および送信可による空間的リッスンビフォアトーク)を実施するためにメモリ内に記憶されたコンピュータ可読命令を実行するように構成され得る。
【０１５６】
メモリ1625は、ランダムアクセスメモリ(RAM)および読取専用メモリ(ROM)を含み得る。メモリ1625は、実行されると、プロセッサに、本明細書で説明される様々な機能を実施させる命令を含むコンピュータ可読コンピュータ実行可能ソフトウェア1630を記憶することができる。いくつかのケースでは、メモリ1625は、特に、周辺構成要素またはデバイスとの相互作用など、基本的なハードウェアまたはソフトウェア動作を制御することができる基本入出力システム(BIOS)を含み得る。
【０１５７】
ソフトウェア1630は、白色化を介した、プリコーディングされた送信要求および送信可による空間的リッスンビフォアトークをサポートするためのコードを含む、本開示の態様を実装するためのコードを含み得る。ソフトウェア1630は、システムメモリまたは他のメモリなど、非一時的コンピュータ可読媒体内に記憶され得る。いくつかのケースでは、ソフトウェア1630は、プロセッサによって直接実行可能ではないことがあるが、(たとえば、コンパイルされ実行されると)本明細書で説明される機能をコンピュータに実施させ得る。
【０１５８】
トランシーバ1635は、上記で説明したように、1つまたは複数のアンテナ、ワイヤード、またはワイヤレスリンクを介して、双方向に通信し得る。たとえば、トランシーバ1635はワイヤレストランシーバを表すことがあり、別のワイヤレストランシーバと双方向に通信することがある。トランシーバ1635はまた、パケットを変調し、変調されたパケットを送信のためのアンテナに供給し、アンテナから受信されたパケットを復調するモデムを含み得る。
【０１５９】
いくつかのケースでは、ワイヤレスデバイスは、単一のアンテナ1640を含み得る。ただし、いくつかのケースでは、デバイスは複数のアンテナ1640を有することができ、複数のアンテナ1640は、複数のワイヤレス送信を並行して送信または受信することが可能であり得る。
【０１６０】
I/Oコントローラ1645は、デバイス1605に対する入力および出力の信号を管理し得る。I/Oコントローラ1645はまた、デバイス1605に統合されない周辺装置を管理し得る。いくつかのケースでは、I/Oコントローラ1645は、外部周辺装置への物理的接続またはポートを表し得る。いくつかのケースでは、I/Oコントローラ1645は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどの、オペレーティングシステムを使用し得る。他のケースでは、I/Oコントローラ1645は、モデム、キーボード、マウス、タッチスクリーン、または同様のデバイスを表し、またはそれと対話し得る。いくつかのケースでは、I/Oコントローラ1645は、プロセッサの一部として実装され得る。いくつかのケースでは、ユーザは、I/Oコントローラ1645を介して、またはI/Oコントローラ1645によって制御されたハードウェア構成要素を介して、デバイス1605と対話し得る。
【０１６１】
図17は、本開示の態様による、白色化を介した、プリコーディングされた送信要求および送信可による空間的リッスンビフォアトークのための方法1700を示すフローチャートを示す。方法1700の動作は、本明細書で説明したように、基地局105もしくはUE115などのワイヤレスデバイスまたはその構成要素によって実装されてよい。たとえば、方法1700の動作は、図13〜図16を参照して説明されたような通信マネージャによって実施され得る。いくつかの例では、基地局105またはUE115などのワイヤレスデバイスは、以下で説明する機能を実施するようにデバイスの機能要素を制御するためのコードのセットを実行してよい。追加または代替として、基地局105またはUE115などのワイヤレスデバイスは、以下で説明する機能の態様を、専用ハードウェアを使用して実施してよい。
【０１６２】
ブロック1705において、基地局105またはUE115などのワイヤレスデバイスは、第1のワイヤレス通信デバイスから送信可信号を受信することができ、送信可信号は、第1のワイヤレス通信デバイスの受信機空間フィルタを示す。ブロック1705の動作は、本明細書で説明される方法に従って実施され得る。いくつかの例では、ブロック1705の動作の態様は、図13〜図16を参照して説明されたような媒体予約マネージャによって実施され得る。
【０１６３】
ブロック1710において、基地局105またはUE115などのワイヤレスデバイスは、第2のワイヤレス通信デバイスによって、第1のワイヤレス通信デバイスの受信機空間フィルタに少なくとも部分的に基づいて送信プリコーダを判断し得る。ブロック1710の動作は、本明細書で説明される方法に従って実施され得る。いくつかの例では、ブロック1710の動作の態様は、図13〜図16を参照して説明されたような送信プリコーダ生成器によって実施され得る。
【０１６４】
ブロック1715において、基地局105またはUE115などのワイヤレスデバイスは、送信プリコーダに少なくとも部分的に基づいて、送信要求信号をプリコーディングし得る。ブロック1715の動作は、本明細書で説明される方法に従って実施され得る。いくつかの例では、ブロック1715の動作の態様は、図13〜図16を参照して説明したようなプリコーディングユニットによって実施され得る。
【０１６５】
ブロック1720において、基地局105またはUE115などのワイヤレスデバイスは、プリコーディングされた送信要求信号を、共有無線周波数スペクトル帯域上で送信し得る。ブロック1720の動作は、本明細書で説明される方法に従って実施され得る。いくつかの例では、ブロック1720の動作の態様は、図13〜図16を参照して説明されたような媒体予約マネージャによって実施され得る。
【０１６６】
図18は、本開示の態様による、白色化を介した、プリコーディングされた送信要求および送信可による空間的リッスンビフォアトークのための方法1800を示すフローチャートを示す。方法1800の動作は、本明細書で説明したように、基地局105もしくはUE115などのワイヤレスデバイスまたはその構成要素によって実装されてよい。たとえば、方法1800の動作は、図13〜図16を参照して説明されたような通信マネージャによって実施され得る。いくつかの例では、基地局105またはUE115などのワイヤレスデバイスが、以下で説明する機能を実施するようにデバイスの機能要素を制御するためのコードのセットを実行してよい。追加または代替として、基地局105またはUE115などのワイヤレスデバイスは、以下で説明する機能の態様を、専用ハードウェアを使用して実施してよい。
【０１６７】
ブロック1805において、基地局105またはUE115などのワイヤレスデバイスは、ワイヤレス通信デバイスにおいて、送信機プリコーダを用いてプリコーディングされた送信要求を示す信号を受信し得る。ブロック1805の動作は、本明細書で説明される方法に従って実施され得る。いくつかの例では、ブロック1805の動作の態様は、図13〜図16を参照して説明されたような媒体予約マネージャによって実施され得る。
【０１６８】
ブロック1810において、基地局105またはUE115などのワイヤレスデバイスは、送信機プリコーダを用いてプリコーディングされた送信要求を示す信号に少なくとも部分的に基づいて、受信機プリコーダを判断し得る。ブロック1810の動作は、本明細書で説明される方法に従って実施され得る。いくつかの例では、ブロック1810の動作の態様は、図13〜図16を参照して説明されたような受信プリコーダ生成器によって実施され得る。
【０１６９】
ブロック1815において、基地局105またはUE115などのワイヤレスデバイスは、受信機プリコーダを用いてプリコーディングされた送信可を示す信号を送信し得る。ブロック1815の動作は、本明細書で説明される方法に従って実施され得る。いくつかの例では、ブロック1815の動作の態様は、図13〜図16を参照して説明されたような媒体予約マネージャによって実施され得る。
【０１７０】
図19は、本開示の態様による、白色化を介した、プリコーディングされた送信要求および送信可による空間的リッスンビフォアトークのための方法1900を示すフローチャートを示す。方法1900の動作は、本明細書で説明したように、基地局105もしくはUE115などのワイヤレスデバイスまたはその構成要素によって実装されてよい。たとえば、方法1900の動作は、図13〜図16を参照して説明されたような通信マネージャによって実施され得る。いくつかの例では、基地局105またはUE115などのワイヤレスデバイスが、以下で説明する機能を実施するようにデバイスの機能要素を制御するためのコードのセットを実行してよい。追加または代替として、基地局105またはUE115などのワイヤレスデバイスは、以下で説明する機能の態様を、専用ハードウェアを使用して実施してよい。
【０１７１】
ブロック1905において、基地局105またはUE115などのワイヤレスデバイスは、ワイヤレス通信デバイスの受信機空間フィルタに対して転置演算を実施して、受信機空間フィルタの転置を取得し得る。ブロック1905の動作は、本明細書で説明される方法に従って実施され得る。いくつかの例では、ブロック1905の動作の態様は、図13〜図16を参照して説明されたようなトランスポーザによって実施され得る。
【０１７２】
ブロック1910において、基地局105またはUE115などのワイヤレスデバイスは、ワイヤレス通信デバイスの受信機空間フィルタの転置に少なくとも部分的に基づいて、ワイヤレス通信デバイスによって、送信可信号をプリコーディングし得る。ブロック1910の動作は、本明細書で説明される方法に従って実施され得る。いくつかの例では、ブロック1910の動作の態様は、図13〜図16を参照して説明したようなプリコーディングユニットによって実施され得る。
【０１７３】
ブロック1915において、基地局105またはUE115などのワイヤレスデバイスは、共有無線周波数スペクトル帯域を介して、プリコーディングされた送信可信号を送信し得る。ブロック1915の動作は、本明細書で説明される方法に従って実施され得る。いくつかの例では、ブロック1915の動作の態様は、図13〜図16を参照して説明されたような媒体予約マネージャによって実施され得る。
【０１７４】
上記で説明した方法は、可能な実装形態について説明しており、動作およびステップは、他の実装形態が可能であるように並べ替えられ、またはさもなければ修正され得ることに留意されたい。さらに、方法のうちの2つ以上からの態様が組み合わせられてよい。
【０１７５】
本明細書で説明した技法は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および他のシステムのような様々なワイヤレス通信システムに使用され得る。「システム」および「ネットワーク」という用語は、しばしば、互換的に使用される。符号分割多元接続(CDMA)システムは、CDMA2000、ユニバーサル地上波無線アクセス(UTRA)などの無線技術を実装することがある。CDMA2000は、IS-2000規格、IS-95規格、およびIS-856規格をカバーする。IS-2000リリースは、一般に、CDMA2000 1X、1Xなどと呼ばれることがある。IS-856(TIA-856)は、一般に、CDMA2000 1xEV-DO、高速パケットデータ(HRPD)などと呼ばれる。UTRAは、広帯域CDMA(WCDMA(登録商標))、およびCDMAの他の変形態を含む。TDMAシステムは、モバイル通信用グローバルシステム(GSM(登録商標))などの無線技術を実装し得る。
【０１７６】
OFDMAシステムは、ウルトラモバイルブロードバンド(UMB)、発展型UTRA(E-UTRA)、米国電気電子技術者協会(IEEE)802.11(Wi-Fi)、IEEE802.16(WiMAX)、IEEE802.20、Flash-OFDMなどの無線技術を実装することができる。UTRAおよびE-UTRAは、ユニバーサル移動電気通信システム(UMTS)の一部である。LTEおよびLTE-AはE-UTRAを使用するUMTSのリリースである。UTRA、E-UTRA、UMTS、LTE、LTE-A、NR、およびGSM(登録商標)は、「第3世代パートナーシッププロジェクト」(3GPP)と称する団体からの文書に記載されている。CDMA2000およびUMBは、「第3世代パートナーシッププロジェクト2」(3GPP2)と称する団体からの文書に記載されている。本明細書で説明される技法は、上述のシステムおよび無線技術ならびに他のシステムおよび無線技術のために使用され得る。LTEまたはNRシステムの態様について例として説明することがあり、説明の大部分においてLTEまたはNR用語が使用されることがあるが、本明細書で説明する技法はLTEまたはNR適用例以外に適用可能である。
【０１７７】
本明細書で説明したそのようなネットワークを含むLTE/LTE-Aネットワークでは、発展型ノードB(eNB)という用語は、概して、基地局を表すために使用され得る。本明細書で説明した1つまたは複数のワイヤレス通信システムは、異なるタイプのeNBが様々な地理的領域にカバレージを提供する異種LTE/LTE-AまたはNRネットワークを含んでよい。たとえば、各eNB、次世代ノードB(gNB)、または基地局は、マクロセル、スモールセル、または他のタイプのセルに通信カバレージを提供し得る。「セル」という用語は、文脈に応じて、基地局、基地局に関連するキャリアもしくはコンポーネントキャリア、またはキャリアもしくは基地局のカバレージエリア(たとえば、セクタなど)を表すために使用され得る。
【０１７８】
基地局は、基地トランシーバ局、無線基地局、アクセスポイント、無線トランシーバ、ノードB、eノードB(eNB)、gNB、ホームノードB、ホームeノードB、または何らかの他の好適な用語を含んでよく、またはそのように当業者によって呼ばれることがある。基地局のための地理的カバレージエリアは、カバレージエリアの一部分のみを構成するセクタに分割され得る。本明細書で説明された1つまたは複数のワイヤレス通信システムは、異なるタイプの基地局(たとえば、マクロ基地局またはスモールセル基地局)を含み得る。本明細書で説明されるUEは、マクロeNB、スモールセルeNB、gNB、リレー基地局などを含む、様々なタイプの基地局およびネットワーク機器と通信することが可能であり得る。異なる技術向けの地理的カバレージエリアが重複する場合がある。
【０１７９】
マクロセルは、概して、比較的大きい地理的エリア(たとえば、半径数キロメートル)をカバーし、ネットワークプロバイダのサービスに加入しているUEによる無制限アクセスを可能にし得る。スモールセルは、同じかまたは異なる(たとえば、認可、無認可などの)周波数帯域の中でマクロセルとして動作し得る、マクロセルと比較して低電力の基地局である。スモールセルは、様々な例による、ピコセル、フェムトセル、およびマイクロセルを含み得る。ピコセルは、たとえば、小さい地理的エリアをカバーすることがあり、ネットワークプロバイダのサービスに加入しているUEによる無制限アクセスを可能にすることがある。フェムトセルも、小さい地理的エリア(たとえば、自宅)をカバーすることがあり、フェムトセルとの関連付けを有するUE(たとえば、限定加入者グループ(CSG)の中のUE、自宅の中のユーザのUEなど)による制限付きアクセスを提供することがある。マクロセルのためのeNBは、マクロeNBと呼ばれ得る。スモールセルのためのeNBは、スモールセルeNB、ピコeNB、フェムトeNB、またはホームeNBと呼ばれ得る。eNBは、1つまたは複数の(たとえば、2つ、3つ、4つなどの)セル(たとえば、コンポーネントキャリア)をサポートすることができる。
【０１８０】
本明細書で説明する単一または複数のワイヤレス通信システムは、同期または非同期動作をサポートし得る。同期動作の場合、基地局は、類似のフレームタイミングを有してよく、異なる基地局からの送信は、時間的にほぼ整合され得る。非同期動作の場合、基地局は、異なるフレームタイミングを有する場合があり、異なる基地局からの送信は、時間的に整合されない場合がある。本明細書で説明された技法は、同期動作または非同期動作のいずれかに使用されてもよい。
【０１８１】
本明細書に記載されたダウンリンク送信は順方向リンク送信と呼ばれてもよく、アップリンク送信は逆方向リンク送信と呼ばれてもよい。たとえば、図1および図2のワイヤレス通信システム100および200を含む、本明細書で説明される各通信リンクは、1つまたは複数のキャリアを含むことがあり、各キャリアは、複数のサブキャリア(たとえば、異なる周波数の波形信号)から構成される信号であることがある。
【０１８２】
添付の図面に関して本明細書に記載された説明は、例示的な構成について説明しており、実装され得るかまたは特許請求の範囲内に入るすべての例を表すとは限らない。本明細書で使用する「例示的」という用語は、「例、事例、または例示として役立つ」ことを意味し、「好ましい」または「他の例よりも有利な」を意味するものではない。発明を実施するための形態は、説明した技法の理解をもたらすための具体的な詳細を含む。しかしながら、これらの技法は、これらの具体的な詳細なしで実践され得る。いくつかの事例では、説明した例の概念を不明瞭にすることを回避するために、よく知られている構造およびデバイスがブロック図の形態で示されている。
【０１８３】
添付の図面では、類似の構成要素または特徴は、同じ参照ラベルを有し得る。さらに、同じタイプの様々な構成要素は、参照ラベルの後に、ダッシュおよび類似の構成要素を区別する第2のラベルを続けることによって区別され得る。本明細書において第1の参照ラベルのみが使用される場合、説明は、第2の参照ラベルにかかわらず、同じ第1の参照ラベルを有する同様の構成要素のいずれにも適用可能である。
【０１８４】
本明細書で説明される情報および信号は、多種多様な技術および技法のいずれかを使用して表され得る。たとえば、上記の説明全体にわたって言及され得るデータ、命令、コマンド、情報、信号、ビット、シンボルおよびチップは、電圧、電流、電磁波、磁場もしくは磁性粒子、光場もしくは光学粒子、またはそれらの任意の組合せによって表され得る。
【０１８５】
本明細書の本開示に関して説明する様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明する機能を実施するように設計されたそれらの任意の組合せを用いて実装または実施される場合がある。汎用プロセッサはマイクロプロセッサであってよいが、代替として、プロセッサは、任意の従来のプロセッサ、コントローラ、マイクロコントローラ、または状態機械であってよい。プロセッサは、コンピューティングデバイスの組合せ(たとえば、DSPとマイクロプロセッサとの組合せ、複数のマイクロプロセッサ、DSPコアと連携した1つもしくは複数のマイクロプロセッサ、または任意の他のそのような構成)としても実装され得る。
【０１８６】
本明細書で説明した機能は、ハードウェア、プロセッサによって実行されるソフトウェア、ファームウェア、またはそれらの組合せで実装され得る。プロセッサによって実行されるソフトウェアにおいて実装される場合、機能は、1つまたは複数の命令またはコードとして、コンピュータ可読媒体上に記憶され、またはコンピュータ可読媒体を介して送信され得る。他の例および実装形態は、本開示および添付の特許請求の範囲の範囲内に入る。たとえば、ソフトウェアの性質に起因して、上述された機能は、プロセッサ、ハードウェア、ファームウェア、ハードワイヤリング、またはこれらのうちのいずれかの組合せによって実行されるソフトウェアを使用して実装され得る。機能を実装する特徴はまた、異なる物理的ロケーションにおいて機能の部分が実装されるように分散されることを含めて、様々な位置に物理的に配置され得る。また、特許請求の範囲内を含めて本明細書で使用する、項目のリスト(たとえば、「のうちの少なくとも1つ」または「のうちの1つまたは複数」などの句が後置される項目のリスト)において使用される「または」は、たとえば、A、B、またはCのうちの少なくとも1つのリストが、AまたはBまたはCまたはABまたはACまたはBCまたはABC(すなわち、AおよびBおよびC)を意味するような包括的リストを示す。また、本明細書で使用される場合、「に基づく」という語句は、条件の閉集合を参照するものと解釈されるべきではない。たとえば、「条件Aに基づいて」として説明されている例示的なステップは、本開示の範囲から逸脱することなく、条件Aと条件Bの両方に基づいてよい。言い換えれば、本明細書で使用する「に基づいて」という句は、「に少なくとも部分的に基づいて」という句と同様に解釈されるべきである。
【０１８７】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用コンピュータまたは専用コンピュータによってアクセスされ得る任意の利用可能な媒体であり得る。限定ではなく例として、非一時的コンピュータ可読媒体は、RAM、ROM、電気的消去可能プログラマブル読取り専用メモリ(EEPROM)、コンパクトディスク(CD)ROMもしくは他の光ディスクストレージ、磁気ディスクストレージもしくは他の磁気ストレージデバイス、または、命令もしくはデータ構造の形態の所望のプログラムコード手段を搬送または記憶するために使用され、汎用コンピュータもしくは専用コンピュータまたは汎用プロセッサもしくは専用プロセッサによってアクセスされ得る任意の他の非一時的媒体を備え得る。また、任意の接続が、適正にコンピュータ可読媒体と呼ばれる。たとえば、ソフトウェアが、同軸ケーブル、光ファイバーケーブル、ツイストペア、デジタル加入者線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、CD、レーザーディスク(登録商標)(disc)、光ディスク(disc)、デジタル多用途ディスク(disc)(DVD)、フロッピーディスク(disk)およびBlu-ray(登録商標)ディスク(disc)を含み、ディスク(disk)は通常、データを磁気的に再生し、ディスク(disc)は、レーザーを用いてデータを光学的に再生する。上記のものの組合せも、コンピュータ可読媒体の範囲内に含まれる。
【０１８８】
本明細書における説明は、当業者が本開示を作成または使用することを可能にするために与えられる。本開示に対する様々な修正が、当業者に容易に明らかになり、本明細書で定義された一般原理は、本開示の範囲から逸脱することなく他の変形形態に適用され得る。したがって、本開示は、本明細書で説明した例および設計に限定されず、本明細書で開示する原理および新規の特徴と一致する最も広い範囲を与えられるべきである。
【符号の説明】
【０１８９】
100  ワイヤレス通信システム
105  基地局、発展型ノードB(eNB)
110  地理的カバレージエリア、カバレージエリア
115  UE
125  通信リンク
130  コアネットワーク
132  バックホールリンク
134  バックホールリンク
200  ワイヤレス通信システム
205  第1の基地局
210  第2の基地局
215  第1のUE
220  第2のUE
225  第1のチャネルH1
230  第2のチャネルH2
235  第1の干渉チャネルG1
240  第2の干渉チャネルG2
300  ワイヤレス通信ネットワーク
305  基地局
310  UE
315  チャネルG
320  送信プリコーダW
325  受信フィルタP
400  ワイヤレス通信ネットワーク
405  基地局
410  UE
415  チャネルG
420a  白色化フィルタ
420b  2次フィルタ
425  受信フィルタP
425a  白色化フィルタ
425b  2次フィルタ
500  ワイヤレス通信ネットワーク
505  基地局
510  第1のUE
515  チャネルG
520  送信プリコーダW
525  受信フィルタP
530  第2のUE
535  チャネルH
540  第2の受信フィルタ、受信フィルタ
600  ワイヤレス通信ネットワーク
605  基地局
610  UE
615  チャネルG
620  送信プリコーダW
620a  基地局白色化フィルタ
620b  2次フィルタ
625  受信フィルタP
625a  UE白色化フィルタ
625b  2次フィルタ
630  サービングUE
635  チャネルH
640  第2の受信フィルタ
645  第1の白色化されたチャネル
650  第2の白色化されたチャネル
700  ワイヤレス通信ネットワーク
705  基地局
710  UE
715  白色化されたチャネルG
720  送信プリコーダ
725  受信フィルタ
730  サービングUE
735  白色化されたチャネルH
740  第2の受信フィルタ
805  第1のUE(UE1)
810  第2の基地局(eNB2)
815  サービングUE(UE2)、第2のUE
820  RTS信号
825  CTS信号
835  RTS信号
845  CTS信号
850  データ
905  第1のUE(UE1)
910  第2の基地局(eNB2)
915  サービングUE(UE2)、第2のUE
920  RTS信号、ランク1RTS信号
925  CTS信号
935  第2のRTS信号
945  第2のCTS信号
955  ランク1データ
1005  第1のRTS信号
1010  第1のダウンリンクチャネル、ダウンリンクチャネル
1015  第1のCTS信号
1020  第1のアップリンクチャネル、アップリンクチャネル
1025  第2のRTS信号
1030  第2のダウンリンクチャネル、ダウンリンクチャネル
1035  第2のCTS信号
1040  第2のアップリンクチャネル、アップリンクチャネル
1105  第1のRTS信号
1110  第1のダウンリンクチャネル、ダウンリンクチャネル
1115  第1のCTS信号
1120  第1のアップリンクチャネル
1125  第2のRTS信号
1130  第2のダウンリンクチャネル
1135  第2のCTS信号
1140  第2のアップリンクチャネル、アップリンクチャネル
1205  第1のRTS信号
1210  第1のダウンリンクチャネル、ダウンリンクチャネル
1215  第1のCTS信号
1220  第1のアップリンクチャネル、アップリンクチャネル
1225  第2のRTS信号
1230  第2のダウンリンクチャネル、ダウンリンクチャネル
1235  第2のCTS信号
1240  第2のアップリンクチャネル、アップリンクチャネル
1305  ワイヤレスデバイス
1310  受信機
1315  通信マネージャ
1320  送信機
1405  ワイヤレスデバイス
1410  受信機
1415  通信マネージャ
1420  送信機
1425  媒体予約マネージャ
1430  送信プリコーダ生成器
1435  プリコーディングユニット
1440  受信機プリコーダ生成器
1445  トランスポーザ
1515  通信マネージャ
1520  媒体予約マネージャ
1525  送信プリコーダ生成器
1530  プリコーディングユニット
1535  受信機プリコーダ生成器
1540  トランスポーザ
1545  次元マネージャ
1550  白色化ユニット
1555  受信フィルタ生成器
1600  システム
1605  デバイス
1610  バス
1615  通信マネージャ
1620  プロセッサ
1625  メモリ
1630  ソフトウェア
1635  トランシーバ
1640  アンテナ
1645  I/Oコントローラ
【図１】
0006749518.tif 000041
【図２】
0006749518.tif 000042
【図３】
0006749518.tif 000043
【図４】
0006749518.tif 000044
【図５】
0006749518.tif 000045
【図６】
0006749518.tif 000046
【図７】
0006749518.tif 000047
【図８】
0006749518.tif 000048
【図９】
0006749518.tif 000049
【図１０】
0006749518.tif 000050
【図１１】
0006749518.tif 000051
【図１２】
0006749518.tif 000052
【図１３】
0006749518.tif 000053
【図１４】
0006749518.tif 000054
【図１５】
0006749518.tif 000055
【図１６】
0006749518.tif 000056
【図１７】
0006749518.tif 000057
【図１８】
0006749518.tif 000058
【図１９】
0006749518.tif 000059